(57)【特許請求の範囲】
【請求項１】
フラッシュの発光によって高輝度となっているラインを含むか否かの検出対象となっている画像データ内の対象画面におけるそれぞれのラインのライン平均輝度と、前記対象画面の少なくとも１画面前の画面である過去の画面の全画面平均輝度とを算出し、それぞれのラインの前記ライン平均輝度と前記全画面平均輝度とを比較することによって、前記対象画面内のラインがフラッシュの発光によって高輝度となっているか否かを検出するフラッシュ検出部と、
前記画像データの前記過去の画面を保持する保持部と、
前記フラッシュ検出部によって前記対象画面内のラインがフラッシュの発光によって高輝度となっていることが検出された場合には、前記対象画面における高輝度となっているラインを前記保持部に保持された前記過去の画面のラインに置換することにより画像データを補正するフラッシュ補正部と、
前記フラッシュ補正部によって補正された前記画像データを記録する記録部と、
前記フラッシュ補正部によって補正されていない状態の前記画像データを表示部に表示させるよう前記表示部に出力する出力信号処理部と、
を備えることを特徴とする画像処理装置。
【請求項２】
前記フラッシュ補正部は、前記対象画面の全体を、フラッシュの発光による影響を受けていない前記過去の画面に置換することを特徴とする請求項１記載の画像処理装置。
【請求項３】
前記フラッシュ検出部は、フラッシュの発光によって高輝度となっている最初のラインであるフラッシュ開始ラインと最後のラインであるフラッシュ終了ラインとを検出し、
前記フラッシュ補正部は、前記フラッシュ開始ラインよりも上方に位置し、前記フラッシュ開始ラインに隣接する第１の隣接領域と、前記フラッシュ終了ラインよりも下方に位置し、前記フラッシュ終了ラインに隣接する第２の隣接領域とをそれぞれ設定し、前記第１の隣接領域では、前記第１の隣接領域の最初のラインから最後のラインに進行するに従って前記対象画面の画像データを順次減少させ、前記過去の画面の画像データを順次増加させるように両者の画像データを混合し、前記第２の隣接領域では、前記第２の隣接領域の最初のラインから最後のラインに進行するに従って前記過去の画面の画像データを順次減少させ、前記対象画面の画像データを順次増加させるように両者の画像データを混合する
ことを特徴とする請求項１記載の画像処理装置。
【請求項４】
前記フラッシュ検出部は、フラッシュの発光によって高輝度となっている最初のラインであるフラッシュ開始ラインと最後のラインであるフラッシュ終了ラインとを検出し、
前記フラッシュ補正部は、前記フラッシュ開始ラインよりも上方に位置し、前記フラッシュ開始ラインに隣接する第１の隣接領域と、前記フラッシュ終了ラインよりも下方に位置し、前記フラッシュ終了ラインに隣接する第２の隣接領域とをそれぞれ設定し、前記第１及び第２の隣接領域では、前記第１及び第２の隣接領域内のそれぞれの画素の明るさが第１の閾値より小さければ前記対象画面の画素データのみとし、前記第１の閾値より大きい値である第２の閾値より大きければ前記過去の画面の画素データのみとし、前記第１の閾値以上前記第２の閾値以下であれば前記対象画面の画素データと前記過去の画面の画素データとを混合する
ことを特徴とする請求項１記載の画像処理装置。
【請求項５】
前記フラッシュ検出部は、
前記対象画面におけるラインを複数のブロックに分割したそれぞれのブロックのブロック平均輝度を算出するブロック平均輝度算出部と、
前記ブロック平均輝度算出部で算出された１ラインにおけるブロック平均輝度に基づいて、前記対象画面におけるそれぞれのラインのライン平均輝度を算出するライン平均輝度算出部と、
前記ライン平均輝度算出部で算出された１画面におけるそれぞれのラインのライン平均輝度に基づいて、前記過去の画面の全画面平均輝度を算出する全画面平均輝度算出部と、
前記ブロック平均輝度と前記全画面平均輝度との差分と、前記ライン平均輝度と前記全画面平均輝度との差分とをそれぞれ算出する差分算出部と、
前記ライン平均輝度と前記全画面平均輝度との差分が第１の閾値以上であり、前記ブロック平均輝度と前記全画面平均輝度との差分が第２の閾値以上である条件が所定ライン以上継続した場合にフラッシュの発光によって高輝度となっていると判定するフラッシュ判定部と、
を有することを特徴とする請求項１〜４のいずれか１項に記載の画像処理装置。
【請求項６】
フラッシュの発光によって高輝度となっているラインを含むか否かの検出対象となっている画像データ内の対象画面におけるそれぞれのラインのライン平均輝度を算出し、
前記対象画面の少なくとも１画面前の画面である過去の画面の全画面平均輝度を算出し、
それぞれのラインの前記ライン平均輝度と前記全画面平均輝度とを比較することによって、前記対象画面内のラインがフラッシュの発光によって高輝度となっているか否かを検出し、
前記画像データの前記過去の画面を保持部に保持し、
前記対象画面内のラインがフラッシュの発光によって高輝度となっていることが検出された場合には、前記対象画面における高輝度となっているラインを前記保持部に保持された前記過去の画面のラインに置換することにより前記画像データを補正し、
補正された前記画像データを記録部に記録し、
補正されていない状態の前記画像データを表示部に表示させる
ことを特徴とする画像処理方法。
【請求項７】
コンピュータに、
フラッシュの発光によって高輝度となっているラインを含むか否かの検出対象となっている画像データ内の対象画面におけるそれぞれのラインのライン平均輝度を算出する機能と、
前記対象画面の少なくとも１画面前の画面である過去の画面の全画面平均輝度を算出する機能と、
それぞれのラインの前記ライン平均輝度と前記全画面平均輝度とを比較することによって、前記対象画面内のラインがフラッシュの発光によって高輝度となっているか否かを検出する機能と、
前記画像データの前記過去の画面を保持部に保持させる機能と、
前記対象画面内のラインがフラッシュの発光によって高輝度となっていることが検出された場合には、前記対象画面における高輝度となっているラインを前記保持部に保持された前記過去の画面のラインに置換することにより前記画像データを補正する機能と、
補正された前記画像データを記録部に記録させる機能と、
補正されていない状態の前記画像データを表示部に表示させる機能と、
を実現させることを特徴とする画像処理プログラム。
【発明の詳細な説明】
【技術分野】
【０００１】
本発明は、動画像の撮影時に撮影者以外の他者のフラッシュ等によって、画像の明るさが不連続となった画面を補正することができる画像処理装置、画像処理方法、画像処理プログラムに関する。
【背景技術】
【０００２】
近年、ビデオカメラ等の撮像装置においては、CMOS（Complementary Metal Oxide Semiconductor）センサが数多く採用されている。CMOSセンサにおける撮像信号の読み出しは、全画素で同一タイミングでなく、ライン単位で順次、リセット、露光、読み出しを行うことにより、読み出しタイミングがライン方向に順次ずれていくローリングシャッタ方式にて行われる。
【０００３】
このため、例えば結婚式等において多数のビデオカメラやスチルカメラが、同一の被写体を同時に撮影する場合において、他者のフラッシュによる発光期間が短く強い光が一部のラインのみの露光期間中にCMOSセンサに入射することがある。この場合、撮像する画面の一部で露光量が異なり、画面内に白帯状の明るい領域が発生して不連続な画像となってしまう。この問題点はフラッシュに限らず、フラッシュと同様の発光期間が短く強い光がCMOSセンサに入射した場合も同様に発生する。
【０００４】
この問題点の解決策が例えば特許文献１〜３に記載されているように種々提案されている。
【先行技術文献】
【特許文献】
【０００５】
【特許文献１】特開２０１０−２１３２２０号公報
【特許文献２】特開２０１１−１５２２２号公報
【特許文献３】特開２０１１−１０１２０８号公報
【発明の概要】
【発明が解決しようとする課題】
【０００６】
フラッシュ等の発光期間が短く強い光がCMOSセンサに入射して画面内で画像の明るさが不連続となったことを、極力、誤検出少なく検出して補正することが求められる。また、画面内で画像の明るさが不連続となったことを検出するためにメモリリソースが増大することは好ましくない。メモリリソースが増大せず、画像の明るさが不連続となったことを検出することが求められる。さらに、画像の明るさが不連続となったことを検出して補正した場合に補正処理による遅延を極力少なくすることが求められる。
【０００７】
本発明はこのような要望に対応するため、画面内で画像の明るさが不連続となったことを精度よく検出することができる画像処理装置、画像処理方法、画像処理プログラムを提供することを目的とする。また、メモリリソースを増大させることなく、画面内で画像の明るさが不連続となったことを検出することができる画像処理装置、画像処理方法、画像処理プログラムを提供することを目的とする。さらに、画像の明るさの不連続を補正した場合に補正処理による遅延を少なくすることができる画像処理装置、画像処理方法、画像処理プログラムを提供することを目的とする。
【課題を解決するための手段】
【０００８】
本発明は、上述した従来の技術の課題を解決するため、フラッシュの発光によって高輝度となっているラインを含むか否かの検出対象となっている画像データ内の対象画面におけるそれぞれのラインのライン平均輝度と、前記対象画面の少なくとも１画面前の画面である過去の画面の全画面平均輝度とを算出し、それぞれのラインの前記ライン平均輝度と前記全画面平均輝度とを比較することによって、前記対象画面内のラインがフラッシュの発光によって高輝度となっているか否かを検出するフラッシュ検出部（２，２０）と、前記画像データの前記過去の画面を保持する保持部（４）と、前記フラッシュ検出部によって前記対象画面内のラインがフラッシュの発光によって高輝度となっていることが検出された場合には、前記対象画面における高輝度となっているラインを前記保持部に保持された前記過去の画面のラインに置換することにより画像データを補正するフラッシュ補正部（８）と、前記フラッシュ補正部によって補正された前記画像データを記録する記録部（１１）と、前記フラッシュ補正部によって補正されていない状態の前記画像データを表示部に表示させるよう前記表示部に出力する出力信号処理部（６）とを備えることを特徴とする画像処理装置を提供する。
【０００９】
上記の画像処理装置において、前記フラッシュ補正部は、前記対象画面の全体を、フラッシュの発光による影響を受けていない前記過去の画面に置換してもよい。
【００１０】
上記の画像処理装置において、前記フラッシュ検出部は、フラッシュの発光によって高輝度となっている最初のラインであるフラッシュ開始ラインと最後のラインであるフラッシュ終了ラインとを検出し、前記フラッシュ補正部は、前記フラッシュ開始ラインよりも上方に位置し、前記フラッシュ開始ラインに隣接する第１の隣接領域と、前記フラッシュ終了ラインよりも下方に位置し、前記フラッシュ終了ラインに隣接する第２の隣接領域とをそれぞれ設定し、前記第１の隣接領域では、前記第１の隣接領域の最初のラインから最後のラインに進行するに従って前記対象画面の画像データを順次減少させ、前記過去の画面の画像データを順次増加させるように両者の画像データを混合し、前記第２の隣接領域では、前記第２の隣接領域の最初のラインから最後のラインに進行するに従って前記過去の画面の画像データを順次減少させ、前記対象画面の画像データを順次増加させるように両者の画像データを混合することが好ましい。
【００１１】
上記の画像処理装置において、前記フラッシュ検出部は、フラッシュの発光によって高輝度となっている最初のラインであるフラッシュ開始ラインと最後のラインであるフラッシュ終了ラインとを検出し、前記フラッシュ補正部は、前記フラッシュ開始ラインよりも上方に位置し、前記フラッシュ開始ラインに隣接する第１の隣接領域と、前記フラッシュ終了ラインよりも下方に位置し、前記フラッシュ終了ラインに隣接する第２の隣接領域とをそれぞれ設定し、前記第１及び第２の隣接領域では、前記第１及び第２の隣接領域内のそれぞれの画素の明るさが第１の閾値より小さければ前記対象画面の画素データのみとし、前記第１の閾値より大きい値である第２の閾値より大きければ前記過去の画面の画素データのみとし、前記第１の閾値以上前記第２の閾値以下であれば前記対象画面の画素データと前記過去の画面の画素データとを混合することが好ましい。
【００１２】
上記の画像処理装置において、前記フラッシュ検出部は、前記対象画面におけるラインを複数のブロックに分割したそれぞれのブロックのブロック平均輝度を算出するブロック平均輝度算出部（２０１）と、前記ブロック平均輝度算出部で算出された１ラインにおけるブロック平均輝度に基づいて、前記対象画面におけるそれぞれのラインのライン平均輝度を算出するライン平均輝度算出部（２０３）と、前記ライン平均輝度算出部で算出された１画面におけるそれぞれのラインのライン平均輝度に基づいて、前記過去の画面の全画面平均輝度を算出する全画面平均輝度算出部（２０５）と、前記ブロック平均輝度と前記全画面平均輝度との差分と、前記ライン平均輝度と前記全画面平均輝度との差分とをそれぞれ算出する差分算出部（２０７）と、前記ライン平均輝度と前記全画面平均輝度との差分が第１の閾値以上であり、前記ブロック平均輝度と前記全画面平均輝度との差分が第２の閾値以上である条件が所定ライン以上継続した場合にフラッシュの発光によって高輝度となっていると判定するフラッシュ判定部（２０８）とを有することが好ましい。
【００１３】
また、本発明は、上述した従来の技術の課題を解決するため、フラッシュの発光によって高輝度となっているラインを含むか否かの検出対象となっている画像データ内の対象画面におけるそれぞれのラインのライン平均輝度を算出し、前記対象画面の少なくとも１画面前の画面である過去の画面の全画面平均輝度を算出し、それぞれのラインの前記ライン平均輝度と前記全画面平均輝度とを比較することによって、前記対象画面内のラインがフラッシュの発光によって高輝度となっているか否かを検出し、前記画像データの前記過去の画面を保持部に保持し、前記対象画面内のラインがフラッシュの発光によって高輝度となっていることが検出された場合には、前記対象画面における高輝度となっているラインを前記保持部に保持された前記過去の画面のラインに置換することにより前記画像データを補正し、補正された前記画像データを記録部に記録し、補正されていない状態の前記画像データを表示部に表示させることを特徴とする画像処理方法を提供する。
【００１４】
さらに、本発明は、上述した従来の技術の課題を解決するため、コンピュータに、フラッシュの発光によって高輝度となっているラインを含むか否かの検出対象となっている画像データ内の対象画面におけるそれぞれのラインのライン平均輝度を算出する機能と、前記対象画面の少なくとも１画面前の画面である過去の画面の全画面平均輝度を算出する機能と、それぞれのラインの前記ライン平均輝度と前記全画面平均輝度とを比較することによって、前記対象画面内のラインがフラッシュの発光によって高輝度となっているか否かを検出する機能と、前記画像データの前記過去の画面を保持部に保持させる機能と、前記対象画面内のラインがフラッシュの発光によって高輝度となっていることが検出された場合には、前記対象画面における高輝度となっているラインを前記保持部に保持された前記過去の画面のラインに置換することにより前記画像データを補正する機能と、補正された前記画像データを記録部に記録させる機能と、補正されていない状態の前記画像データを表示部に表示させる機能とを実現させることを特徴とする画像処理プログラムを提供する。
【発明の効果】
【００１５】
本発明の画像処理装置、画像処理方法、画像処理プログラムによれば、画面内で画像の明るさが不連続となったことを精度よく検出することができる。また、本発明の画像処理装置、画像処理方法、画像処理プログラムによれば、メモリリソースを増大させることなく、画面内で画像の明るさが不連続となったことを検出することができる。さらに、本発明の画像処理装置、画像処理方法、画像処理プログラムによれば、画像の明るさの不連続を補正した場合に補正処理による遅延を少なくすることができる。
【図面の簡単な説明】
【００１６】
【図１】本発明の画像処理装置の第１実施形態を示すブロック図である。
【図２】CMOSセンサを用いた動画像の撮影時にフラッシュの発光によって発生する画像の明るさが不連続となる現象を説明するための図である。
【図３】第１実施形態の画像処理装置における撮影及び記録処理の全体的な流れを示すフローチャートである。
【図４】第１実施形態におけるフラッシュ検出・補正処理の詳細を示すフローチャートである。
【図５】第１実施形態による画像データの補正を説明するための図である。
【図６】本発明の画像処理装置の第２実施形態を示すブロック図である。
【図７】第２実施形態におけるフラッシュ検出・補正処理の詳細を示すフローチャートである。
【図８】第２実施形態による効果を説明するための図である。
【図９】第３実施形態におけるフラッシュ検出・補正処理の詳細を示すフローチャートである。
【図１０】第３実施形態による動作を説明するための隣接領域を示す図である。
【図１１】第３実施形態による動作を説明するための混合特性を示す図である。
【図１２】第４実施形態の画像処理装置における撮影及び記録再生処理の全体的な流れを示すフローチャートである。
【図１３】第４実施形態におけるフラッシュ検出処理の詳細を示すフローチャートである。
【図１４】第４実施形態におけるフラッシュ補正処理の詳細を示すフローチャートである。
【図１５】第４実施形態による画像データの補正を説明するための図である。
【図１６】第５実施形態の画像処理装置における撮影及び記録再生処理の全体的な流れを示すフローチャートである。
【図１７】再生リストを説明するための概念図である。
【図１８】第５実施形態による画像データの補正を説明するための図である。
【図１９】第６実施形態の画像処理装置における撮影及び記録処理の全体的な流れを示すフローチャートである。
【図２０】第６実施形態におけるフラッシュ補正処理の詳細を示すフローチャートである。
【図２１】第６実施形態による画像データの補正を説明するための図である。
【図２２】第７実施形態におけるフラッシュ検出処理の詳細を示すフローチャートである。
【発明を実施するための形態】
【００１７】
以下、本発明の画像処理装置、画像処理方法、画像処理プログラムの各実施形態について、添付図面を参照して説明する。各実施形態においては、画像処理装置をビデオカメラに適用し、ビデオカメラで行われる画像処理方法、ビデオカメラに搭載されているコンピュータに画像処理を実行させる画像処理プログラムを例として説明する。
【００１８】
＜第１実施形態＞
図１を用いて、第１実施形態の画像処理装置であるビデオカメラ１０１の全体構成について説明する。ビデオカメラ１０１は、撮像部１，フラッシュ検出部２，画像信号処理部３，バッファメモリ４，圧縮伸張処理部５，出力信号処理部６，表示部７，フラッシュ補正部８，制御部９，メモリ１０，記録再生部１１，操作スイッチ１２を備える。記録再生部１１は、半導体メモリ，ハードディスク・ドライブ等の任意の記録媒体を有する。記録媒体はビデオカメラ１０１に対して着脱自在であってもよい。
【００１９】
撮像部１は、レンズや絞り等の光学系（図示せず）、CMOSセンサ１ｓ、露出やピントの制御機構（図示せず）等を有する。一例として、撮像部１は３つのCMOSセンサ１ｓを有し、３つのCMOSセンサ１ｓから赤，緑，青それぞれの色信号であるＲ，Ｇ，Ｂ信号を示す電気信号を出力する。勿論、CMOSセンサ１ｓは１つであってもよい。撮像部１は、レンズを介してCMOSセンサ１ｓに入力された光情報を所定のタイミングで電気信号として取り出し、電気信号をフラッシュ検出部２及び画像信号処理部３に供給する。
【００２０】
フラッシュ検出部２は、ライン平均輝度算出部２１，ライン平均輝度保持部２２，全画面平均輝度算出部２３，全画面平均輝度保持部２４，差分算出部２５，フラッシュ判定部２６を有する。フラッシュ検出部２は、制御部９による制御に従って以下のようにフラッシュの発光を検出する。
【００２１】
ライン平均輝度算出部２１は、撮像部１から供給された電気信号におけるラインごとの明るさの平均を算出する。第１実施形態においては、Ｒ，Ｇ，Ｂ信号の内、Ｇ信号に基づいてラインごとの明るさの平均を算出する。具体的には、ライン平均輝度算出部２１は、Ｇ信号の値を１ラインの有効画素分に渡って加算し、有効画素数で除算することによって１ラインの明るさの平均（ライン平均輝度）を算出する。ライン平均輝度を算出する基にする信号はＧ信号に限定されるものではない。
【００２２】
ライン平均輝度算出部２１によって算出されたライン平均輝度は、ライン平均輝度保持部２２及び全画面平均輝度算出部２３に入力される。ライン平均輝度保持部２２は、ライン平均輝度算出部２１によって算出されたライン平均輝度を一時的に保持する。全画面平均輝度算出部２３は、１画面（１フレーム）全体の明るさの平均を算出する。具体的には、全画面平均輝度算出部２３は、順次入力されるライン平均輝度を１画面の有効ラインに渡って加算し、有効ライン数で除算することによって１画面全体の明るさの平均（全画面平均輝度）を算出する。全画面平均輝度保持部２４は、全画面平均輝度を一時的に保持する。
【００２３】
差分算出部２５には、ライン平均輝度保持部２２で保持されたライン平均輝度と、全画面平均輝度保持部２４で保持された全画面平均輝度とが入力される。なお、全画面平均輝度を算出した画面とライン平均輝度を算出した画面とは１画面ずれており、全画面平均輝度を算出した画面は、ライン平均輝度を算出した画面の１画面前の画面である。１画面前の画面の全画面平均輝度を１画面の期間保持しておき、２画面前の画面の全画面平均輝度として用いてもよい。また、１画面前の画面の全画面平均輝度と２画面前の画面の全画面平均輝度との双方を保持し、１画面前の画面がフラッシュの発光の影響を受けている場合に、２画面前の画面の全画面平均輝度を用いるようにしてもよい。
【００２４】
第１実施形態では、ライン平均輝度を算出している画面を現在の画面、全画面平均輝度を算出した画面を１画面前の画面とする。即ち、現在の画面が、フラッシュの発光によって高輝度となっているラインを含むか否かの検出対象となっている対象画面である。差分算出部２５は、現在の画面におけるそれぞれのライン平均輝度と１画面前の画面における全画面平均輝度との差分を順次算出する。差分算出部２５は差分の絶対値をとり、差分値として出力する。
【００２５】
差分算出部２５によって算出された差分値は、フラッシュ判定部２６に入力される。フラッシュ判定部２６は、ラインごとの差分値が設定された閾値以上であるか否かを判定するとともに、差分値が閾値以上である状態が予め設定したライン数以上継続するか否かを判定する。フラッシュ判定部２６は、差分値が閾値以上である状態が予め設定したライン数以上継続したと判定した場合に、フラッシュの発光によって画像の明るさが不連続となったと検出する。フラッシュ判定部２６は、フラッシュが発光したことを示す検出信号と併せて、フラッシュの発光の開始時点である差分値が閾値以上となった最初のライン番号を示すデータと、差分値が閾値未満となった最初のライン番号を示すデータとを出力する。差分値が閾値未満となった最初のラインの１ライン前のラインがフラッシュの発光の最終ラインである。
【００２６】
なお、フラッシュ判定部２６は、例えば、フラッシュが発光したと判定した場合にはフラッシュが発光したことを示す検出信号として“１”を、フラッシュが発光しなかったと判定した場合にはフラッシュが発光しなかったことを示す検出信号として“０”を生成すればよい。
【００２７】
以上の説明より分かるように、フラッシュ検出部２は、ライン平均輝度、全画面平均輝度、差分値を算出し、差分値を判定してフラッシュの発光を検出するだけであるので、フレームメモリのような大容量のメモリリソースを備える必要はない。なお、ここではフラッシュの発光を検出としたが、上記のように、フラッシュと同様の発光期間が短く強い光がCMOSセンサ１ｓに入射した場合にもフラッシュ検出部２は画像の明るさが不連続となったことを検出する。このような場合も含めてフラッシュの発光の検出とする。
【００２８】
フラッシュ検出部２は、現在の画面におけるそれぞれのラインのライン平均輝度と、例えば１画面前の画面である過去の画面の全画面平均輝度とを比較するので、画面の一部のラインがフラッシュの発光によって高輝度となっている場合には、高輝度となっている全てのラインで差分値が閾値以上となる。仮に現在の画面内で隣接するラインのライン平均輝度を比較した場合には、正常なラインと高輝度となったラインの境界のみしか差分値が閾値以上とならない。従って、本実施形態においては、画面内で画像の明るさが不連続となったことを誤検出少なく検出することが可能である。
【００２９】
画像信号処理部３は、撮像部１から供給された電気信号を所定の信号方式に変換する。上記のように第１実施形態におていは、電気信号はＲ，Ｇ，Ｂ信号であるため、ホワイトバランスやゲインを調整し、ガンマ処理等を行った後に、輝度信号Ｙと色差信号Ｃｂ，Ｃｒに変換する。フラッシュ検出部２は、輝度信号Ｙに基づいてライン平均輝度及び全画面平均輝度を算出してもよい。バッファメモリ（保持部）４は、画像信号処理部３より出力された輝度信号Ｙと色差信号Ｃｂ，Ｃｒの画像データを一時的に保持する。色差信号Ｃｂ，Ｃｒを帯域制限して輝度信号Ｙと時間軸多重すれば、画像処理に必要なメモリや演算リソースを少なくすることができる。
【００３０】
フラッシュの発光が検出された場合には、画像信号処理部３からバッファメモリ４へと入力されて保持された画像データが後述するフラッシュ補正部８による画像データの補正処理の際に用いられる。
【００３１】
圧縮伸張処理部５は、バッファメモリ４より読み出した画像データをMPEG-2，MPEG-4 AVC/H.264，JPEG等の圧縮方式によって圧縮処理して符号化データを生成するとともに、記録再生部１１に記録された符号化データを再生して読み出した場合に符号化データを伸張処理する。
【００３２】
出力信号処理部６は、バッファメモリ４より読み出した画像データを外部機器（図示せず）に出力するとともに、後段の表示部７の入力フォーマットに合わせて例えばＮＴＳＣ信号方式に変換し、表示部７の表示画面の大きさに合わせて画像データのサイズを変更する。これによって、画像データは表示部７に表示可能なデータとなり、表示部７に供給されて表示される。出力信号処理部６には制御部９から出力されたオンスクリーン信号も入力され、出力信号処理部６はオンスクリーン信号を画像データに重畳する。
【００３３】
フラッシュ補正部８には、フラッシュ判定部２６より出力された検出信号が入力される。フラッシュ補正部８は、補正制御部８１と補正処理部８２とを有する。フラッシュ補正部８は、制御部９による制御に従って、フラッシュの発光によって明るさが不連続となった画像データを補正する。フラッシュ検出部２がフラッシュの発光を検出した場合には、補正制御部８１にはフラッシュが発光したことを示す検出信号（“１”）と、フラッシュ発光の最初のライン番号及びフラッシュ発光終了後の最初のライン番号を示すデータとが入力される。フラッシュ発光終了後の最初のライン番号を示すデータの代わりに、フラッシュ発光の最終のライン番号を示すデータを入力してもよい。フラッシュ検出部２がフラッシュの発光を検出しなかった場合には、補正制御部８１にはフラッシュが発光しなかったことを示す検出信号（“０”）が入力される。
【００３４】
制御部９には、後述する低遅延モードと画面単位切換モードとのいずれかが設定されている。フラッシュ検出部２及びフラッシュ補正部８は、制御部９に設定されているモードの情報を参照する。補正制御部８１は、補正処理部８２が制御部９に設定されているモードに応じた補正処理動作を実行するよう補正処理部８２を制御する。なお、画面単位切換モードは必須ではなく、必要に応じて低遅延モードと画面単位切換モードとを選択するようにすればよい。
【００３５】
まず、フラッシュ検出部２がフラッシュの発光を検出しなかった場合の補正処理部８２の動作について説明する。低遅延モードに設定されている場合、補正処理部８２は、画像信号処理部３より出力されて補正処理部８２へと入力された画像データをそのままバッファメモリ４へと供給する。バッファメモリ４から読み出された画像データは、圧縮伸張処理部５及び出力信号処理部６へと供給されて、上述した圧縮伸張処理部５と出力信号処理部６とにおけるそれぞれの処理が行われる。
【００３６】
画面単位切換モードに設定されている場合、補正処理部８２には、画像信号処理部３からバッファメモリ４へと入力されて読み出された１画面遅延の画像データが入力され、補正処理部８２は、入力された１画面遅延の画像データをそのままバッファメモリ４へと供給する。同様に、バッファメモリ４から読み出された画像データは、圧縮伸張処理部５及び出力信号処理部６へと供給されて、上述した圧縮伸張処理部５と出力信号処理部６とにおけるそれぞれの処理が行われる。
【００３７】
次に、フラッシュ検出部２がフラッシュの発光を検出した場合の補正処理部８２の動作について説明する。低遅延モードに設定されている場合、補正処理部８２は、画像信号処理部３からバッファメモリ４へと入力された１画面遅延の画像データを読み出す。補正処理部８２は、画像信号処理部３より出力されて補正処理部８２へと入力された画像データにおけるフラッシュの発光によって明るさが不連続となった複数のラインを、バッファメモリ４から読み出した１画面遅延の画像データにおける対応する複数のラインに置換することによって画像データを補正する。補正処理部８２によって補正された画像データは、同様に、バッファメモリ４を介して圧縮伸張処理部５及び出力信号処理部６へと供給される。
【００３８】
バッファメモリ４によって画像信号処理部３より出力された画像データを２画面分遅延させて、補正処理部８２へと入力された画像データにおけるフラッシュの発光によって明るさが不連続となった複数のラインを、２画面遅延の画像データにおける対応する複数のラインに置換してもよい。
【００３９】
画面単位切換モードに設定されている場合、補正処理部８２は、入力された１画面遅延の画像データにおけるフラッシュの発光によって明るさが不連続となった複数のラインを含む画面を過去の画面に置換することによって画像データを補正する。補正処理部８２によって補正された画像データは、同様に、バッファメモリ４を介して圧縮伸張処理部５及び出力信号処理部６へと供給される。
【００４０】
画面単位切換モードを設ける場合には、バッファメモリ４は、画像信号処理部３より出力された画像データを少なくとも２画面分、保持する必要がある。フラッシュの発光のタイミングによっては、３画面の期間分過去の画面が必要となる。なお、第１実施形態では、バッファメモリ４は画像データを３画面分、保持することとする。低遅延モードのみとする場合には、バッファメモリ４は画像データを少なくとも１画面分、保持すればよい。
【００４１】
制御部９は、ＣＰＵを有するマイクロコンピュータによって構成することができる。制御部９はビデオカメラ１０１の全体を制御する制御プログラムを記憶した記憶部を有し、制御プログラムに基づいてビデオカメラ１０１の全体を制御する。第１実施形態による画像処理を画像処理プログラムによって実現する場合には、制御プログラムの一部として第１実施形態の画像処理を実行させる画像処理プログラムを含むようにすればよい。この場合、制御部９は画像処理プログラムを実行させてフラッシュの発光を検出し、フラッシュが発光した場合に画像データを補正する。
【００４２】
制御部９には、制御部９の作業用メモリとしてのメモリ１０が接続されている。また、制御部９には、記録再生部１１と操作スイッチ１２とが接続されている。制御部９は操作スイッチ１２によって撮像した動画像を記録する指示がなされたら、圧縮伸張処理部５より出力された符号化データを記録再生部１１に記録するよう制御する。また、制御部９は操作スイッチ１２によって撮像した動画像を記録する指示がなされたら、記録再生部１１に符号化データを再生させて読み出し、圧縮伸張処理部５へと供給するよう制御する。制御部９は、操作スイッチ１２による操作に従ってオンスクリーン信号を発生して、出力信号処理部６へと供給する。
【００４３】
図１では、フラッシュ検出部２をハードウェアにて構成した例を示しているが、ソフトウェアによって構成してもよい。即ち、第１実施形態の画像処理プログラムの一部であるフラッシュ検出プログラムを実行させることによって、フラッシュ検出部２と同等の構成を実現してもよい。また、フラッシュ補正部８もソフトウェアによって構成してもよい。即ち、第１実施形態の画像処理プログラムの一部であるフラッシュ補正プログラムを実行させることによって、フラッシュ補正部８と同等の構成を実現してもよい。
【００４４】
ここで、図２を用いて、動画像の撮影時に撮影者以外の他者のフラッシュが発光した場合に発生する画像の明るさが不連続となる現象について説明する。ローリングシャッタ方式を採用するCMOSセンサ１ｓはラインＬｎ単位で撮像した画素データを読み出していくので、撮像部１による被写体の撮像ＳＴ１，ＳＴ２，ＳＴ３，ＳＴ４…は、図２（ｂ）に示すように、画面の最初のラインＬｎから最後のラインＬｎまでタイミングが時間方向に順次ずれていく。１つのラインＬｎの撮像は、図２の（ａ）に示すように、露光時間と画素データの読み出し時間とを含む。
【００４５】
撮像部１による撮像ＳＴ１，ＳＴ２，ＳＴ３，ＳＴ４…によって、撮像部１からは図２の（ｃ）に示すように、有効データＤ１，Ｄ２，Ｄ３，Ｄ４…が出力される。時刻ｔ１にて他者のフラッシュによる発光ＦＬがあり、CMOSセンサ１ｓに入射したとする。この場合、撮像ＳＴ２の一点鎖線で示す位置から最後のラインＬｎまでの各ラインＬｎと、撮像ＳＴ３の最初のラインＬｎから一点鎖線で示す位置までの各ラインＬｎは発光ＦＬによる影響を受けることになる。
【００４６】
第１実施形態による画像データの補正を行わないとすると、表示部７に表示される画像（記録再生部１１に記録される画像）Ｉｍ１，Ｉｍ２，Ｉｍ３，Ｉｍ４…は図２の（ｄ）に示すようになる。画像Ｉｍ１，Ｉｍ４は発光ＦＬによる影響を受けておらず、画面の明るさが連続して正常な画像である。画像Ｉｍ２は、一点鎖線以降の下端部で白帯状に明るくなっており、画像の明るさが不連続となった正常でない画像である。ハッチングを付した部分が高輝度の部分を示す。画像Ｉｍ３は、上端から一点鎖線までの上端部で同様に白帯状に明るくなっており、画像の明るさが不連続となった正常でない画像である。
【００４７】
なお、撮影者が所有するビデオカメラ１０１のフラッシュを発光させる場合には、フラッシュの発光のタイミングを図２の（ｂ）に示す撮像のタイミングと合わせるので、図２の（ｄ）に示すような画像の明るさが不連続となる現象は発生しない。
【００４８】
図３，図４を用いて、第１実施形態によるビデオカメラ１０１の動作についてさらに詳細に説明する。図３は、ビデオカメラ１０１による撮影及び記録処理の全体的な流れを示している。図３において、制御部９は、ステップＳ１にて、操作スイッチ１２による撮影開始の指示があったか否かを判定する。撮影開始の指示があったと判定されれば（YES）、制御部９は、ステップＳ２にて、絞り及びシャッタースピード等の条件に合わせて撮像部１を制御して撮影を開始させる。なお、操作スイッチ１２によるビデオカメラ１０１の電源投入の指示を撮影開始の指示としてもよい。撮影開始の指示があったと判定されなければ（NO）、制御部９は処理をステップＳ１に戻してステップＳ１を繰り返す。
【００４９】
制御部９は、ステップＳ３にて、フラッシュ検出部２によるフラッシュ検出処理及びフラッシュ補正部８によるフラッシュ補正処理を実行させる。また、制御部９は、ステップＳ３と並行して、ステップＳ４にて、画像信号処理部３による画像信号処理を実行させる。ステップＳ３のフラッシュ検出・補正処理の詳細については後述する。制御部９は、ステップＳ５にて、出力信号処理部６を制御して表示部７に撮影した画像を表示させる。
【００５０】
制御部９は、ステップＳ６にて、操作スイッチ１２による記録開始の指示があったか否かを判定する。記録開始の指示があったと判定されれば（YES）、制御部９は、ステップＳ７にて、圧縮伸張処理部５より出力された符号化データを記録再生部１１に記録させる。記録開始の指示があったと判定されなければ（NO）、制御部９は、処理をステップＳ１０に移行させる。
【００５１】
制御部９は、ステップＳ８にて、記録終了の指示があったか否かを判定する。記録終了の指示があったと判定されれば（YES）、制御部９は、ステップＳ９にて、記録再生部１１への記録を停止させる。記録終了の指示があったと判定されなければ（NO）、制御部９は処理をステップＳ７に戻してステップＳ７を繰り返す。そして、制御部９は、ステップＳ１０にて、操作スイッチ１２による撮影終了の指示があったか否かを判定する。撮影終了の指示があったと判定されれば（YES）、制御部９は処理を終了させる。撮影終了の指示があったと判定されなければ（NO）、制御部９は、処理をステップＳ２に戻してステップＳ２以降を繰り返す。操作スイッチ１２によるビデオカメラ１０１の電源切断の指示を撮影終了の指示としてもよい。
【００５２】
図４を用いて、図３に示すステップＳ３のフラッシュ検出・補正処理の詳細について説明する。以下の各ステップは、制御部９による制御に基づいてフラッシュ検出部２及びフラッシュ補正部８によって実行される。第１実施形態におけるステップＳ３をステップＳ３１とする。
【００５３】
図４において、フラッシュ検出部２は、ステップＳ301にて、有効ラインにおける有効画素の画素値を加算する処理を有効ラインごとに順次実行する。有効ラインとは垂直ブランキング期間を除く期間のラインであり、有効画素とは水平ブランキング期間を除く期間の画素である。フラッシュ検出部２は、ステップＳ302にて、ステップＳ301にて得た画素値の加算値を有効画素数で除算してライン平均輝度を算出し、ライン平均輝度を保持する。
【００５４】
フラッシュ検出部２は、ステップＳ303にて、ライン平均輝度を順次加算する処理を実行する。フラッシュ検出部２は、ステップＳ304にて、ステップＳ302で算出したライン平均輝度と１画面前の全画面平均輝度との差分演算処理を実行する。ステップＳ304における差分演算処理は、ステップＳ302でライン平均輝度を算出するたびに実行される。フラッシュ検出部２は、ステップＳ305にて、差分値が閾値以上のラインを検出したか否かを判定する。この際の閾値は被写体の状況によって変化するが、実験によって最適な値を求めて設定すればよく、他者のフラッシュの発光によって明るさが大きく変化した状態を検出するため、入力されたＧ信号のダイナミックレンジよりも十分に大きい値とすることが好ましい。なお、閾値を小さくするほど、フラッシュ発光の検出感度を高めることができる。なお、ステップＳ３でフラッシュ検出・補正処理を開始する際、最初の１画面はそれ以前の画面の全画面平均輝度が保存されていないため、差分値を算出しないようにするとよい。
【００５５】
差分値が閾値以上のラインを検出したと判定されれば（YES）、フラッシュ検出部２は、処理をステップＳ306に移行させる。なお、この際、フラッシュ検出部２は、検出したラインがフレームの最初のラインから何ライン目かを示す検出ライン情報を記憶しておく。記憶する検出ライン情報はラインが連続して検出される場合は最初の１ライン目のみでよい。一方、差分値が閾値以上のラインを検出したと判定されなければ（NO）、フラッシュ検出部２は、既に検出ライン情報を記憶している場合は、それを消去するとともに、処理をステップＳ314に移行させる。差分値が閾値以上のラインを検出しなければ、フラッシュは発光していないということである。
【００５６】
フラッシュ検出部２は、ステップＳ306にて、差分値が閾値以上である状態が所定ライン数以上継続したか否かを判定する。所定ライン数以上継続したと判定されれば（YES）、フラッシュ検出部２は、処理をステップＳ307に移行させ、所定ライン数以上継続したと判定されなければ（NO）、フラッシュ検出部２は、処理をステップＳ314に移行させる。
【００５７】
ステップＳ306を設けることによって、ステップＳ305での閾値を小さくしたとしても誤検出を防止することができる。ステップＳ306でのライン数も実験によって最適な値を求めて設定すればよい。差分値が閾値以上のラインを検出したとしても、差分値が閾値以上である状態が所定ライン数以上継続しなかった場合は、フラッシュは発光していないと判断することができる。
【００５８】
ステップS306にて所定ライン数以上継続したと判定された場合には、フラッシュが発光したということである。そこで、フラッシュ検出部２は、ステップＳ307にて、フラッシュが発光していないことを示す検出信号“０”からフラッシュが発光したことを示す検出信号“１”へと切り換え、この切り換えた検出信号と、記憶している検出ライン情報とをフラッシュ補正部８に供給するとともに、検出ライン情報を消去する。フラッシュ検出部２及びフラッシュ補正部８は、ステップＳ308にて、設定されているモードが低遅延モードであるか否かを判定する。低遅延モードであると判定されれば（YES）、フラッシュ補正部８は、処理をステップＳ309に移行させる。低遅延モードであると判定されなければ（NO）、フラッシュ検出部２は、処理をステップＳ316に移行させる。
【００５９】
フラッシュ補正部８は、ステップＳ309にて、供給された検出ライン情報が示す、１画面前のラインへの置換を開始する。フラッシュ検出部２は、ステップS310にて、差分値が閾値未満のラインを検出したか否かを判定する。差分値が閾値未満のラインを検出したと判定されれば（YES）、フラッシュ検出部２は、処理をステップＳ311に移行させる。なお、この際、フラッシュ検出部２は、検出したラインがフレームの最初のラインから何ライン目かを示す検出ライン情報を記憶しておく。記憶する検出ライン情報はラインが連続して検出される場合は最初の１ライン目のみでよい。一方、差分値が閾値未満のラインを検出したと判定されなければ（NO）、フラッシュ検出部２は、記憶していた検出ライン情報を消去するとともに、処理をステップＳ314に移行させる。
【００６０】
フラッシュ検出部２は、ステップS311にて、差分値が閾値未満である状態が所定ライン数以上継続したか否かを判定する。所定ライン数以上継続したと判定されれば（YES）、フラッシュ検出部２は、処理をステップＳ312に移行させ、所定ライン数以上継続したと判定されなければ（NO）、フラッシュ検出部２は、処理をステップＳ314に移行させる。
【００６１】
ステップＳ311を設けることによって、ステップＳ310での閾値を小さくしたとしても誤検出を防止することができる。ステップＳ305での閾値とステップＳ310での閾値は同じ値である。ステップＳ311でのライン数も実験によって最適な値を求めて設定すればよい。ステップＳ306での所定ライン数とステップＳ311での所定ライン数とは同じでよい。差分値が閾値未満のラインを検出したとしても、差分値が閾値未満である状態が所定ライン数以上継続しなかった場合は、フラッシュの発光は終了していないと判断することができる。
【００６２】
フラッシュ検出部２は、ステップＳ312にて、検出信号“１”を検出信号“０”へと切り換え、この切り換えた検出信号と、記憶している検出ライン情報とをフラッシュ補正部８に供給するとともに検出ライン情報を消去する。フラッシュ補正部８は、ステップＳ313にて、供給された検出ライン情報が示す、１画面前のラインへの置換を終了し、フラッシュ検出部２は、処理をステップＳ314に移行させる。フラッシュ検出部２は、ステップＳ314にて、全有効ラインに対する判定が終了したか否かを判定する。全有効ラインに対する判定が終了したと判定されれば（YES）、フラッシュ検出部２は、処理をステップＳ315に移行させ、全有効ラインが終了したと判定されなければ（NO）、フラッシュ検出部２は、処理をステップＳ305に戻してステップＳ305以降を繰り返す。
【００６３】
フラッシュ検出部２は、ステップＳ315にて、ライン平均輝度の加算値を有効ライン数で除算して全画面平均輝度を算出し、全画面平均輝度を保持して、図３のステップＳ５へと移行させる。
【００６４】
一方、ステップS308にて低遅延モードであると判定されなかった（即ち、画面単位切換モードであると判定された）場合、フラッシュ検出部２は、ステップＳ316にて、全有効ラインに対する判定が終了したか否かを判定する。全有効ラインに対する判定が終了したと判定されなければ（NO）、フラッシュ検出部２は、ステップＳ316の処理を繰り返す。全有効ラインに対する判定が終了したと判定されれば（YES）、フラッシュ検出部２は、ステップＳ317にて、ライン平均輝度の加算値を有効ライン数で除算して全画面平均輝度を算出し、全画面平均輝度を保持する。
【００６５】
フラッシュ補正部８は、ステップＳ318にて、次の画面に移行したか否かを判定する。次の画面に移行したか否かの情報は、フラッシュ検出部２または制御部９からフラッシュ補正部８へと供給すればよい。次の画面に移行したと判定されなければ（NO）、フラッシュ補正部８は、ステップＳ318の処理を繰り返す。次の画面に移行したと判定されれば（YES）、フラッシュ補正部８は、ステップＳ319にて、フラッシュの発光が検出された現在の画面を過去の正常画面に置換して、図３のステップＳ５へと移行させる。
【００６６】
図５を用いて、第１実施形態による画像データの補正について説明する。図５の（ａ）は、図２の（ｄ）に示す補正前の画像Ｉｍ１，Ｉｍ２，Ｉｍ３，Ｉｍ４…を示している。制御部９に低遅延モードが設定されている場合には、フラッシュ補正部８は次のように画像データを補正する。
【００６７】
フラッシュ検出部２は、図５の（ａ）に示す画像Ｉｍ２においては、図４のステップＳ305，Ｓ306によって、画像Ｉｍ２における一点鎖線以降の画面の途中から高輝度となっている複数のラインを検出する。画像Ｉｍ２では、画面の下端のラインまで高輝度となっているので、フラッシュ補正部８は、図４のステップＳ309以降の処理によって、図５の（ａ）に示すように、画像Ｉｍ２におけるハッチングを付した部分の高輝度となっている複数のラインを、画像Ｉｍ１における対応する複数のラインに置換する。
【００６８】
フラッシュ検出部２は、図５の（ａ）に示す画像Ｉｍ３においては、図４のステップＳ305，Ｓ306によって、画像Ｉｍ３における画面の上端から高輝度となっている複数のラインを検出する。フラッシュ検出部２は、図４のステップＳ310，Ｓ311によって、画像Ｉｍ３における一点鎖線以降の正常な画像の複数のラインを検出する。フラッシュ補正部８は、図４のステップＳ309以降の処理によって、図５の（ａ）に示すように、画像Ｉｍ３におけるハッチングを付した部分の高輝度となっている複数のラインを、画像Ｉｍ２における対応する複数のラインに置換する。
【００６９】
結果として、フラッシュ補正部８は、図５の（ｂ）に示すように、画像Ｉｍ２を画像Ｉｍ２’へと補正し、画像Ｉｍ３を画像Ｉｍ３’へと補正する。従って、フラッシュ補正部８からバッファメモリ４へと供給される画像データは、図５の（ｂ）に示す画像Ｉｍ１，Ｉｍ２’，Ｉｍ３’，Ｉｍ４…となる。ここでは、画像Ｉｍ３を、画像Ｉｍ２を用いて補正して画像Ｉｍ３’としたが、画像Ｉｍ１を用いて補正してもよい。この場合には、バッファメモリ４は２画面前の画像データを保持しておくことが必要になる。
【００７０】
この低遅延モードでは、画像データの遅延は、画像信号処理部３における信号処理に起因する複数ライン程度の時間であり、実質的にはほとんど遅延がない。例えば、ビデオカメラ１０１でマニュアルにて動画像を撮影する場合には、表示部７に表示されている画像を確認しながらビデオカメラ１０１における種々の設定を調整する。画像データに大幅な遅延があると、リアルタイムで画像を確認することができず、適切な操作が困難となる場合がある。第１実施形態による低遅延モードでは遅延がほとんどないので、リアルタイムで画像を確認でき、適切な操作も可能となる。
【００７１】
一方、制御部９に画面単位切換モードが設定されている場合には、フラッシュ補正部８は次のように画像データを補正する。前述のように、画面単位切換モードが設定されている場合には、フラッシュ補正部８は、画像データの補正の有無にかかわらず、バッファメモリ４から１画面遅延の画像データを読み出してバッファメモリ４を介して圧縮伸張処理部５及び出力信号処理部６へと供給する。従って、図５の（ｃ）に示すように、図５の（ａ）の補正前の画像Ｉｍ１，Ｉｍ２のタイミングで、画像Ｉｍ１，Ｉｍ２よりそれぞれ１画面前の画像Ｉｍ０，Ｉｍ１が出力される。
【００７２】
フラッシュ補正部８は、図４のステップＳ319によって、高輝度部分を有する画像Ｉｍ２の代わりに画像Ｉｍ１を出力し、高輝度部分を有する画像Ｉｍ３の代わりに画像Ｉｍ１を出力する。従って、フラッシュ補正部８からバッファメモリ４へと供給される画像データは、図５の（ｃ）に示す画像Ｉｍ０，Ｉｍ１，Ｉｍ１，Ｉｍ１，Ｉｍ４…となる。この場合、高輝度部分を有する画像が２画面連続しているので、バッファメモリ４は３画面前の画像データを保持しておくことが必要になる。
【００７３】
＜第２実施形態＞
図７に示す第２実施形態において、図１と同一部分には同一符号を付し、その説明を適宜省略することとする。第２実施形態の画像処理装置であるビデオカメラ１０２は、フラッシュ検出部２の代わりにフラッシュ検出部２０を備える。フラッシュ検出部２０は、ブロック平均輝度算出部２０１，ブロック平均輝度保持部２０２，ライン平均輝度算出部２０３，ライン平均輝度保持部２０４，全画面平均輝度算出部２０５，全画面平均輝度保持部２０６，差分算出部２０７，フラッシュ判定部２０８を有する。
【００７４】
フラッシュ検出部２０は、制御部９による制御に従って以下のようにフラッシュの発光を検出する。ブロック平均輝度算出部２０１は、撮像部１から供給された電気信号における１ラインの有効画素を複数のブロックに分割しブロックごとの明るさの平均を算出する。ブロックの数は２のべき乗であることが好ましい。具体的には、ブロック平均輝度算出部２０１は、Ｇ信号の値を各ブロックの有効画素分に渡って加算し、有効画素数で除算することによって１ブロックの明るさの平均（ブロック平均輝度）を算出する。
【００７５】
ブロック平均輝度算出部２０１によって算出されたブロック平均輝度は、ブロック平均輝度保持部２０２及びライン平均輝度算出部２０３に入力される。ライン平均輝度算出部２０３は、１ラインにおけるブロック平均輝度を加算し、１ラインのブロック数で除算することによって１ラインの明るさの平均（ライン平均輝度）を算出する。ライン平均輝度算出部２０３によって算出されたライン平均輝度は、ライン平均輝度保持部２０４及び全画面平均輝度算出部２０５に入力される。ライン平均輝度保持部２０４は、ライン平均輝度算出部２０３によって算出されたライン平均輝度を一時的に保持する。
【００７６】
全画面平均輝度算出部２０５は、順次入力されるライン平均輝度を１画面の有効ラインに渡って加算し、有効ライン数で除算することによって１画面全体の明るさの平均（全画面平均輝度）を算出する。全画面平均輝度保持部２０６は、全画面平均輝度を一時的に保持する。
【００７７】
差分算出部２０７には、ブロック平均輝度保持部２０２で保持されたブロック平均輝度と、ライン平均輝度保持部２０４で保持されたライン平均輝度と、全画面平均輝度保持部２０６で保持された全画面平均輝度とが入力される。差分算出部２０７は、ブロック平均輝度と全画面平均輝度との差分と、ライン平均輝度と全画面平均輝度との差分とをそれぞれ順次算出する。差分算出部２０７は差分の絶対値をとり、差分値として出力する。
【００７８】
差分算出部２０７によって算出されたそれぞれの差分値は、フラッシュ判定部２０８に入力される。フラッシュ判定部２０８は、ライン平均輝度と全画面平均輝度との差分値が設定された閾値（閾値１）以上であるか否かを判定する。フラッシュ判定部２０８は、ライン平均輝度と全画面平均輝度との差分値が閾値以上の場合には、それぞれのブロック平均輝度と全画面平均輝度との差分値が設定された閾値（閾値２）以上であるか否かを判定する。閾値１と閾値２とは異なる値であってよい。閾値１と閾値２とは異なる値とする場合には、閾値１よりも閾値２の値を大きくすることが好ましい。
【００７９】
フラッシュ判定部２０８は、ラインごとの差分値が閾値１以上であり、ブロックごとの差分値が閾値２以上である状態が予め設定したライン数以上継続するか否かを判定する。フラッシュ判定部２０８は、それぞれの差分値が閾値１，２以上である状態が予め設定したライン数以上継続したと判定した場合に、フラッシュの発光によって画像の明るさが不連続となったと検出する。
【００８０】
フラッシュ判定部２０８は、フラッシュが発光したと判定した場合には、フラッシュの発光の開始時点である、ライン平均輝度と全画面平均輝度との差分値が閾値１以上であり、かつそれぞれのブロック平均輝度と全画面平均輝度との差分値が閾値２以上となった最初のライン番号を示すデータと、ライン平均輝度と全画面平均輝度との差分値が閾値１以上と、それぞれのブロック平均輝度と全画面平均輝度との差分値が閾値２以上との少なくとも一方の条件を満たさなくなった最初のライン番号を示すデータとを出力する。フラッシュ判定部２０８は、フラッシュが発光したことを示す検出信号も出力する。
【００８１】
第２実施形態においては、図３に示すステップＳ３のフラッシュ検出・補正処理を図７に示すステップＳ３２とする。図７を用いて、ステップＳ３２のフラッシュ検出・補正処理の詳細について説明する。図７において、フラッシュ検出部２０は、ステップＳ321にて、有効ラインにおける各ブロックの有効画素の画素値を加算する処理を有効ラインごとに順次実行する。フラッシュ検出部２０は、ステップＳ322にて、ステップＳ321にて得た各ブロックの画素値の加算値をブロック内の有効画素数で除算してブロック平均輝度を算出し、ブロック平均輝度を保持する。
【００８２】
フラッシュ検出部２０は、ステップＳ323にて、１ライン内のブロック平均輝度を加算し、ステップＳ324にて、ブロック平均輝度の加算値をブロック数で除算してライン平均輝度を算出し、ライン平均輝度を保持する。フラッシュ検出部２０は、ステップＳ325にて、ライン平均輝度を順次加算する処理を実行する。フラッシュ検出部２０は、ステップＳ326にて、ステップＳ322で算出したブロック平均輝度と１画面前の全画面平均輝度との差分演算と、ステップＳ324で算出したライン平均輝度と１画面前の全画面平均輝度との差分演算とのそれぞれの処理を実行する。ステップＳ326における差分演算処理は、ステップＳ324でライン平均輝度を算出するたびに実行される。
【００８３】
フラッシュ検出部２０は、ステップＳ327にて、ライン平均輝度と全画面平均輝度との差分値が閾値（閾値１）以上のラインを検出したか否かを判定する。ライン平均輝度と全画面平均輝度との差分値が閾値以上のラインを検出したと判定されれば（YES）、フラッシュ検出部２０は、処理をステップＳ328に移行させ、ライン平均輝度と全画面平均輝度との差分値が閾値以上のラインを検出したと判定されなければ（NO）、フラッシュ検出部２０は、処理をステップＳ337に移行させる。ライン平均輝度と全画面平均輝度との差分値が閾値以上のラインを検出しなければ、フラッシュは発光していないということである。
【００８４】
フラッシュ検出部２０は、ライン平均輝度と全画面平均輝度との差分値が閾値以上のラインを検出した場合、さらに、ステップＳ328にて、そのライン内のそれぞれのブロック平均輝度と全画面平均輝度との差分値が閾値（閾値２）以上であるか否かを判定する。フラッシュ検出部２０は、それぞれのブロック平均輝度と全画面平均輝度との差分値が閾値以上であると判定されれば（YES）、フラッシュ検出部２０は、処理をステップＳ329に移行させる。なお、この際、フラッシュ検出部２は、検出したラインがフレームの最初のラインから何ライン目かを示す検出ライン情報を記憶しておく。記憶する検出ライン情報はラインが連続して検出される場合は最初の１ライン目のみでよい。
【００８５】
一方、それぞれのブロック平均輝度と全画面平均輝度との差分値が閾値以上であると判定されなければ（NO）、フラッシュ検出部２０は、既に検出ライン情報を記憶している場合は、それを消去するとともに、処理をステップＳ337に移行させる。
【００８６】
フラッシュ検出部２０は、ステップＳ329にて、ライン平均輝度と全画面平均輝度との差分値が閾値以上であり、それぞれのブロック平均輝度と全画面平均輝度との差分値が閾値以上であるという２つの条件を満たすラインが所定ライン数以上継続したか否かを判定する。所定ライン数以上継続したと判定されれば（YES）、フラッシュ検出部２０は処理をステップＳ330に移行させ、所定ライン数以上継続したと判定されなければ（NO）、フラッシュ検出部２０は処理をステップＳ337に移行させる。
【００８７】
第２実施形態においては、上記の２つの条件を満たすラインが所定ライン数以上継続したとき、フラッシュが発光したと判定する。仮に、ライン平均輝度と全画面平均輝度との差分値が閾値以上である状態が所定ライン数以上継続する状態が発生しても、ライン内のそれぞれのブロック平均輝度と全画面平均輝度との差分値が閾値以上であるという条件を満たさない場合には、フラッシュは発光していないと判定されることになる。この理由については後述する。
【００８８】
フラッシュ検出部２０は、上記の２つの条件を満たすラインが所定ライン数以上継続したら、ステップＳ330にて、フラッシュが発光していないことを示す検出信号“０”からフラッシュが発光したことを示す検出信号“１”へと切り換え、この切り換えた検出信号と、記憶している検出ライン情報とをフラッシュ補正部８に供給するとともに、検出ライン情報を消去する。フラッシュ検出部２０及びフラッシュ補正部８は、ステップＳ331にて、設定されているモードが低遅延モードであるか否かを判定する。低遅延モードであると判定されれば（YES）、フラッシュ補正部８は、処理をステップＳ332に移行させる。低遅延モードであると判定されなければ（NO）、フラッシュ検出部２０は、処理をステップＳ339に移行させる。
【００８９】
フラッシュ補正部８は、ステップＳ332にて、供給された検出ライン情報が示す、１画面前のラインへの置換を開始する。フラッシュ検出部２０は、ステップS333にて、ライン平均輝度と全画面平均輝度との差分値が閾値未満であるか、または、それぞれのブロック平均輝度と全画面平均輝度との差分値が閾値未満であるラインを検出したか否かを判定する。即ち、フラッシュ検出部２０は、ステップＳ333にて、上記の２つの条件の少なくとも一方を満たさないラインが現れたか否かを判定する。上記の２つの条件の少なくとも一方を満たさないラインが現れたと判定されれば（YES）、フラッシュ検出部２０は処理をステップＳ334に移行させる。
【００９０】
なお、この際、フラッシュ検出部２０は、検出したラインがフレームの最初のラインから何ライン目かを示す検出ライン情報を記憶しておく。記憶する検出ライン情報はラインが連続して検出される場合は最初の１ライン目のみでよい。
【００９１】
一方、上記の２つの条件の少なくとも一方を満たさないラインが現れたと判定されなければ（NO）、フラッシュ検出部２０は、記憶していた検出ライン情報を消去するとともに、処理をステップＳ337に移行させる。
【００９２】
フラッシュ検出部２０は、ステップS334にて、上記の２つの条件の少なくとも一方を満たさない状態が所定ライン数以上継続したか否かを判定する。所定ライン数以上継続したと判定されれば（YES）、フラッシュ検出部２０は処理をステップＳ335に移行させ、所定ライン数以上継続したと判定されなければ（NO）、フラッシュ検出部２０は処理をステップＳ337に移行させる。
【００９３】
フラッシュ検出部２０は、ステップＳ335にて、検出信号“１”を検出信号“０”へと切り換え、この切り換えた検出信号と、記憶している検出ライン情報とをフラッシュ補正部８に供給するとともに検出ライン情報を消去する。フラッシュ補正部８は、ステップＳ336にて、供給された検出ライン情報が示す、１画面前のラインへの置換を終了し、フラッシュ検出部２０は、処理をステップＳ337に移行させる。フラッシュ検出部２０は、ステップＳ337にて、全有効ラインに対する判定が終了したか否かを判定する。全有効ラインに対する判定が終了したと判定されれば（YES）、フラッシュ検出部２０は、処理をステップＳ338に移行させ、全有効ラインが終了したと判定されなければ（NO）、フラッシュ検出部２０は、処理をステップＳ327に戻してステップＳ327以降を繰り返す。
【００９４】
フラッシュ検出部２０は、ステップＳ338にて、ライン平均輝度の加算値を有効ライン数で除算して全画面平均輝度を算出し、全画面平均輝度を保持して、図３のステップＳ５へと移行させる。
【００９５】
一方、ステップS331にて低遅延モードであると判定されなかった（即ち、画面単位切換モードであると判定された）場合、フラッシュ検出部２０はステップＳ316〜Ｓ319と同じであり、説明を省略する。
【００９６】
第２実施形態によれば、第１実施形態よりもフラッシュが発光したか否かの検出精度を向上させることができる。図８を用いて、検出精度を向上させることができる理由について説明する。図８は、画面内に部分的に矩形状の高輝度領域Ａｒｈが含まれる画像Ｉｍｉの例を示している。ハッチングを付した高輝度領域Ａｒｈは例えば白レベルであるとする。高輝度領域Ａｒｈは矩形状でなくてもよい。有効ラインＬｎｅにおいては、ライン平均輝度は比較的高い値となる。有効ラインＬｎｅ以外のラインでも高輝度領域Ａｒｈが存在している垂直方向の範囲では同様である。従って、第１実施形態においては、高輝度領域Ａｒｈが存在している垂直方向の範囲でフラッシュが発光したと誤判定する可能性がある。
【００９７】
図８では、１ラインを４つのブロックＢ１〜Ｂ４に分割した例を示している。ブロック平均値算出部２０１で算出されるブロック平均輝度は、ブロックＢ１ではさほど高い値とはならない。ブロック平均輝度はブロックＢ２，Ｂ３では高い値となり、ブロックＢ４ではブロックＢ２，Ｂ３よりも小さな値となる。有効ラインＬｎｅにおいて、図７のステップＳ327にて、ライン平均輝度と全画面平均輝度との差分値が閾値以上であると判定されたとしても、ステップＳ328にて、少なくともブロックＢ１で、ブロック平均輝度と全画面平均輝度との差分値が閾値以上であると判定されない。
【００９８】
従って、第２実施形態によれば、図８の例のように部分的な高輝度領域Ａｒｈを含む画像Ｉｍｉであっても、フラッシュが発光したと誤判定する可能性を大幅に低減させることができる。
【００９９】
＜第３実施形態＞
第３実施形態の画像処理装置の構成は、図１に示す第１実施形態のビデオカメラ１０１または図６に示す第２実施形態のビデオカメラ１０２と同様であり、フラッシュ補正部８での画像データの補正処理が第１及び第２実施形態とは異なっている。図９〜図１１を用いて、第３実施形態における画像データの補正処理について説明する。第３実施形態においては、図３に示すステップＳ３のフラッシュ検出・補正処理を図９に示すステップＳ３３とする。図９を用いて、ステップＳ３３のフラッシュ検出・補正処理の詳細について説明する。
【０１００】
図９は、画像処理装置の構成を、フラッシュ検出部２を有する図１のビデオカメラ１０１とした場合を例にしている。特に図示しないが、フラッシュ検出部２０を有する図６のビデオカメラ１０２においても、図９のステップＳ３３と同様の処理を行うことが可能である。図９において、図４と同一のステップには同一の符号を付し、その説明を適宜省略する。
【０１０１】
図９において、ステップＳ304以前は図４と同じであり、図示を省略している。図９のステップＳ307までは図４と同じである。フラッシュ検出部２がステップＳ307にてフラッシュが発光していないことを示す検出信号“０”からフラッシュが発光したことを示す検出信号“１”へと切り換え、この切り換えた検出信号と、記憶している検出ライン情報とをフラッシュ補正部８に供給したら、フラッシュ補正部８は、ステップＳ351にて、供給された検出ライン情報が示すフラッシュ開始ラインよりも上方に位置し、フラッシュ開始ラインに隣接する隣接領域を設定する。
【０１０２】
具体的には、図１０の（ａ）に示すように、フラッシュ補正部８は、供給された検出ライン情報が示す最初のフラッシュ検出ラインであるフラッシュ開始ラインＬｎfsに隣接する複数ラインの隣接領域Ａadjsを設定する。隣接領域Ａadjsは例えば５〜１０ライン程度でよい。
【０１０３】
フラッシュ補正部８は、低遅延モードであると判定されたとき、ステップＳ352にて、隣接領域Ａadjsにおいて、現在の画面のラインと１画面前の画面のラインとを混合して隣接領域Ａadjsの新たなラインを生成し、隣接領域Ａadjs内のラインを新たなラインに置換する。フラッシュ補正部８は、ステップＳ353にて、フラッシュ開始ラインＬｎfs以降、１画面前のラインへの置換を開始する。
【０１０４】
フラッシュ検出部２がステップＳ312にて検出信号“１”を検出信号“０”へと切り換え、この切り換えた検出信号と、記憶している検出ライン情報とをフラッシュ補正部８に供給したら、フラッシュ補正部８は、ステップＳ354にて、供給された検出ライン情報が示すフラッシュ終了ライン（ステップＳ310にて検出したフラッシュ発光終了後の最初のラインの１ライン前のライン）下方に位置し、フラッシュ終了ラインに隣接する隣接領域を設定する。具体的には、図１０の（ｂ）に示すように、フラッシュ補正部８は、フラッシュ終了ラインＬｎfeに隣接する複数ラインの隣接領域Ａadjeを設定する。隣接領域Ａadjeも例えば５〜１０ライン程度でよい。
【０１０５】
フラッシュ補正部８は、ステップＳ313にて、１画面前のラインへの置換を終了し、ステップＳ355にて、隣接領域Ａadjeにおいて、現在の画面のラインと１画面前の画面のラインとを混合して隣接領域Ａadjeの新たなラインを生成し、隣接領域Ａadje内のラインを新たなラインに置換する。他のステップによる処理は図４で説明した通りである。
【０１０６】
図１０の（ａ）において、隣接領域Ａadjsの最初のラインをＬＳ、隣接領域Ａadjsの最後のラインをＬＥとし、隣接領域Ａadjsの画素位置をＬｆ（ｉ，ｊ）とすると、現在の画面の画像データの合成重み付け係数Ｗｆ（ｉ，ｊ）と、１画面前の画面の画像データの合成重み付け係数Ｗｂ（ｉ，ｊ）は式（１）となる。図９のステップＳ352では、式（１）に基づいて現在の画面のラインと１画面前の画面のラインとを混合して隣接領域Ａadjsの新たなラインを生成する。式（１）では、画素位置Ｌｆ（ｉ，ｊ）としているが、１画面前の画面の画像データと現在の画面の画像データとはライン単位で混合するので、画像の水平方向の位置を示すｉの情報はなくてもよい。
【０１０７】
【数１】
0005757472.tif 000002
【０１０８】
図１０の（ｂ）において、隣接領域Ａadjeの最初のラインをＬＳ、隣接領域Ａadjeの最後のラインをＬＥとし、隣接領域Ａadjeの画素位置をＬｆ（ｉ，ｊ）とすると、現在の画面の画像データの合成重み付け係数Ｗｆ（ｉ，ｊ）と、１画面前の画面の画像データの合成重み付け係数Ｗｂ（ｉ，ｊ）は式（２）となる。同様に、式（２）では、画素位置Ｌｆ（ｉ，ｊ）としているが、１画面前の画面の画像データと現在の画面の画像データとはライン単位で混合するので、画像の水平方向の位置を示すｉの情報はなくてもよい。
【０１０９】
【数２】
0005757472.tif 000003
【０１１０】
式（１）による現在の画面のラインと１画面前の画面のラインとを混合特性は図１１の（ａ）となる。図１１の（ａ）において、実線は現在の画面のラインの混合率を示し、破線は１画面前の画面のラインの混合率を示している。図１１の（ａ）に示すように、図１０の（ａ）に示す画像Ｉｍ２の場合には、画面の上端側から隣接領域Ａadjsの手前までは現在の画面のラインのみである。ステップＳ352によって、隣接領域Ａadjsの最初のラインＬＳから最後のラインＬＥまで現在の画面のラインの混合率が順次減少していく一方、１画面前の画面のラインの混合率が順次増加していく。最後のラインＬＥ以降、ステップＳ353によって１画面前の画面のラインのみとなる。なお、フラッシュ開始ラインＬｎfsと最後のラインＬＥとを同一のラインとしてもよい。
【０１１１】
式（２）による現在の画面のラインと１画面前の画面のラインとを混合特性は図１１の（ｂ）となる。図１１の（ｂ）において、実線は現在の画面のラインの混合率を示し、破線は１画面前の画面のラインの混合率を示している。図１１の（ｂ）に示すように、図１０の（ｂ）に示す画像Ｉｍ３の場合には、画面の上端側から隣接領域Ａadjeの手前までは１画面前の画面のラインのみである。ステップＳ356によって、隣接領域Ａadjeの最初のラインＬＳから最後のラインＬＥまで１画面前の画面のラインの混合率が順次減少していく一方、現在の画面のラインの混合率が順次増加していく。最後のラインＬＥ以降、現在の画面のラインのみとなる。なお、フラッシュ終了ラインＬｎfeと最初のラインＬＳとを同一のラインとしてもよい。
【０１１２】
第３実施形態によれば、図２に示す画像Ｉｍ２のように画面の途中から高輝度となっている場合には、フラッシュ開始ラインＬｎfsに対して上方に位置するフラッシュの影響を受けていない隣接領域Ａadjsにおいて、最初のラインＬＳから最後のラインＬＥに進行するに従って１画面前の画面のラインに徐々に切り替わっていく。従って、現在の画面の画像データと１画面前の画面の画像データとを混合する不自然さが低減される。
【０１１３】
また、第３実施形態によれば、図２に示す画像Ｉｍ３のように画面の途中まで高輝度で途中から正常な画像となっている場合には、フラッシュ終了ラインＬｎfeに対して下方に位置するフラッシュの影響を受けていない隣接領域Ａadjeにおいて、最初のラインＬＳから最後のラインＬＥに進行するに従って現在の画面のラインに徐々に切り替わっていく。従って、現在の画面の画像データと１画面前の画面の画像データとを混合する不自然さが低減される。
【０１１４】
上述した式（１），（２）の代わりに、式（３）を用いて画素単位で現在の画面の画像データと１画面前の画面の画像データとを混合してもよい。式（３）において、Ｍｆ（ｉ，ｊ）は画素の明るさであり、ＴｈH，ＴｈLはＴｈH＞ＴｈLを満たす明るさの閾値である。この場合には、フラッシュ検出部２，２０で検出したそれぞれの有効画素の明るさをフラッシュ補正部８に入力すればよい。
【０１１５】
【数３】
0005757472.tif 000004
【０１１６】
式（３）によれば、隣接領域Ａadjs及び隣接領域Ａadjeにおいて、それぞれの画素の明るさＭｆ（ｉ，ｊ）が小さい方の値の閾値ＴｈLよりも小さければ、現在の画面の画像データの合成重み付け係数Ｗｆ（ｉ，ｊ）が１となり、１画面前の画面の画像データの合成重み付け係数Ｗｂ（ｉ，ｊ）が０となる。即ち、画素の明るさＭｆ（ｉ，ｊ）が閾値ＴｈLよりも小さいということはフラッシュの発光による影響を受けていない可能性が高く、現在の画面の画素データのみとする。
【０１１７】
また、それぞれの画素の明るさＭｆ（ｉ，ｊ）が大きい方の閾値ＴｈHよりも大きければ、現在の画面の画像データの合成重み付け係数Ｗｆ（ｉ，ｊ）が０となり、１画面前の画面の画像データの合成重み付け係数Ｗｂ（ｉ，ｊ）が１となる。即ち、画素の明るさＭｆ（ｉ，ｊ）が閾値ＴｈHよりも大きいということはフラッシュの発光による影響を受けている可能性が高く、１画面前の画面の画素データのみとする。
【０１１８】
それぞれの画素の明るさＭｆ（ｉ，ｊ）が閾値ＴｈL以上閾値ＴｈH以下であれば、式（３）の特性で現在の画面の画素データと１画面前の画面の画素データとが適応的に混合されることになる。
【０１１９】
＜第４実施形態＞
第４実施形態の画像処理装置の構成は、図１に示す第１実施形態のビデオカメラ１０１と同様である。第１実施形態においては、図３及び図４で説明したように、フラッシュ検出部２によってフラッシュの発光が検出された場合には、フラッシュ補正部８によって補正した画像データを表示部７に表示させるとともに、記録再生部１１に記録させるように構成している。
【０１２０】
第４実施形態は、表示部７に表示させる画像データが遅延しないよう、フラッシュの発光によって部分的に高輝度となったとしても画像データを補正せず記録再生部１１に記録させ、記録再生部１１に記録された画像データの再生時に画像データを補正するように構成している。
【０１２１】
図１２を用いて、第４実施形態によるビデオカメラの動作について説明する。図１２において、図３と同一部分には同一符号を付し、その説明を適宜省略することとする。図１２のステップＳ１，Ｓ２，Ｓ４は、図３のステップＳ１，Ｓ２，Ｓ４と同じである。図１２に示す第４実施形態では、図３のステップＳ３のフラッシュ検出・補正処理の代わりに、ステップＳ３０のフラッシュ検出処理を設けている。制御部９は、ステップＳ３０にて、フラッシュ検出部２によるフラッシュ検出処理を実行させる。即ち、ステップＳ３０では、フラッシュ補正部８によるフラッシュ補正処理を実行させない。ステップＳ３０のフラッシュ検出処理の詳細については後述する。
【０１２２】
図１２のステップＳ５〜Ｓ９は、図３のステップＳ５〜Ｓ９と同じである。但し、ステップＳ５にて、表示部７に表示される画像はフラッシュの発光による影響を受けた画像であっても補正されずそのまま表示される。
【０１２３】
制御部９は、ステップＳ９に続き、ステップＳ１１にて、操作スイッチ１２によって、記録再生部１１に記録された所定の画像データの再生を開始する指示があったか否かを判定する。再生開始の指示があったと判定されれば（YES）、制御部９は、ステップＳ１２にて、記録再生部１１に記録された画像データ（符号化データ）を再生させる。記録再生部１１から読み出された符号化データは、圧縮伸張処理部５によって伸張処理され、バッファメモリ４に入力されて保持される。再生開始の指示があったと判定されなければ（NO）、制御部９は、処理をステップＳ１０に移行させる。
【０１２４】
制御部９は、ステップＳ１３にて、フラッシュ検出領域があるか否かを判定する。フラッシュ検出領域とは、再生する画像データ内でフラッシュの発光によって高輝度となっていることが検出された領域である。画像データにおけるどの部分がフラッシュ検出領域であるかは、後述するように、符号化データに付加したメタデータ（付加情報）を参照することによって判別することができる。
【０１２５】
フラッシュ検出領域があると判定されれば（YES）、制御部９は、ステップＳ１４にて、フラッシュ補正部８によるフラッシュ補正処理を実行させる。制御部９は、ステップＳ１５にて、ステップＳ１４にて補正された画像データを表示部７に表示させる。
【０１２６】
この場合、バッファメモリ４に保持された伸張処理後の画像データがフラッシュ補正部８へと入力され、ステップＳ１４によるフラッシュ補正処理が実行される。補正された画像データはバッファメモリ４に入力されて保持され、出力処理部６を介して表示部７へと供給される。
【０１２７】
ステップＳ１３にてフラッシュ検出領域があると判定されなければ（NO）、制御部９は、処理をステップＳ１５に移行させる。制御部９は、ステップＳ１５にて、ステップＳ１２にて再生された画像データをそのまま表示部７に表示させる。この場合、バッファメモリ４に保持された伸張処理後の画像データは、バッファメモリ４から出力処理部６へとそのまま出力され、表示部７へと供給される。
【０１２８】
制御部９は、ステップＳ１６にて、再生停止の指示があったか否かを判定する。再生停止の指示があったと判定されれば（YES）、制御部９は、ステップＳ１７にて、画像データの再生を停止させて、処理をステップＳ１０に移行させる。再生停止の指示があったと判定されなければ（NO）、制御部９は処理をステップＳ１２に戻してステップＳ１２以降を繰り返す。ステップＳ１０は図３で説明した通りである。
【０１２９】
図１３を用いて、図１２に示すステップＳ３０のフラッシュ検出処理の詳細について説明する。第４実施形態におけるステップＳ３０をステップＳ３０４とする。以下の各ステップは、制御部９による制御に基づいてフラッシュ検出部２によって実行される。図１３において、フラッシュ検出部２は、ステップＳ3001にて、有効ラインにおける有効画素の画素値を加算する処理を有効ラインごとに順次実行する。フラッシュ検出部２は、ステップＳ3002にて、ステップＳ3001にて得た画素値の加算値を有効画素数で除算してライン平均輝度を算出し、ライン平均輝度を保持する。
【０１３０】
フラッシュ検出部２は、ステップＳ3003にて、ライン平均輝度を順次加算する処理を実行する。フラッシュ検出部２は、ステップＳ3004にて、ステップＳ3002で算出したライン平均輝度と１画面前の全画面平均輝度との差分演算処理を実行する。ステップＳ3004における差分演算処理は、ステップＳ3002でライン平均輝度を算出するたびに実行される。図１３のステップＳ3001〜ステップＳ3004の処理は図４のステップＳ301〜ステップＳ304と同じである。
【０１３１】
フラッシュ検出部２は、ステップＳ3005にて、フラッシュの発光を検出していない通常状態であるか否かを判定する。通常状態であると判定されれば（YES）、フラッシュ検出部２は、ステップＳ3006にて、差分値が閾値以上のラインを検出したか否かを判定する。差分値が閾値以上のラインを検出したと判定されれば（YES）、フラッシュ検出部２は、処理をステップＳ3007に移行させる。この際、フラッシュ検出部２は、検出したラインがフレームの最初のラインから何ライン目かを示す検出ライン情報を記憶しておく。
【０１３２】
一方、差分値が閾値以上のラインを検出したと判定されなければ（NO）、フラッシュ検出部２は、既に検出ライン情報を記憶している場合は、それを消去するとともに、処理をステップＳ3011に移行させる。
【０１３３】
フラッシュ検出部２は、ステップＳ3007にて、差分値が閾値以上である状態が所定ライン数以上継続したか否かを判定する。所定ライン数以上継続したと判定されれば（YES）、フラッシュ検出部２は、処理をステップＳ3008に移行させ、所定ライン数以上継続したと判定されなければ（NO）、フラッシュ検出部２は、処理をステップＳ3011に移行させる。
【０１３４】
ステップＳ3005にて通常状態であると判定され、ステップＳ3006にて差分値が閾値以上のラインが検出され、ステップＳ3007にて差分値が閾値以上である状態が所定ライン数以上継続したと判定された場合は、フラッシュの発光の影響を受けていない状態からフラッシュの発光の影響を受けて高輝度の状態へと変化したことを検出したということである。
【０１３５】
そこで、フラッシュ検出部２は、ステップＳ3008にて、フラッシュの発光を検出していない状態からフラッシュの発光を検出した状態へとフラッシュ検出状態を変更する。第４実施形態においては、フラッシュ検出部２は、フラッシュ発光の開始ラインを示す検出ライン情報を制御部９に供給し、記憶した検出ライン情報を消去する。
【０１３６】
図１３のステップＳ3006，Ｓ3007は図４のステップＳ305，Ｓ306と同じである。図１３においてステップＳ3007からステップＳ3008へと移行した場合のステップＳ3008は図４のステップＳ307と実質的に同じである。
【０１３７】
一方、ステップＳ3005にて通常状態であると判定されなければ（NO）、フラッシュ検出部２は、ステップＳ3009にて、差分値が閾値未満のラインを検出したか否かを判定する。差分値が閾値未満のラインを検出したと判定されれば（YES）、フラッシュ検出部２は、処理をステップＳ3010に移行させる。この際、フラッシュ検出部２は、検出したラインがフレームの最初のラインから何ライン目かを示す検出ライン情報を記憶しておく。
【０１３８】
フラッシュ検出部２は、ステップＳ3010にて、差分値が閾値未満である状態が所定ライン数以上継続したか否かを判定する。所定ライン数以上継続したと判定されれば（YES）、フラッシュ検出部２は、処理をステップＳ3008に移行させ、所定ライン数以上継続したと判定されなければ（NO）、フラッシュ検出部２は、処理をステップＳ3011に移行させる。
【０１３９】
ステップＳ3005にて通常状態ではないと判定され、ステップＳ3009にて差分値が閾値未満のラインが検出され、ステップＳ3010にて差分値が閾値未満である状態が所定ライン数以上継続したと判定された場合は、フラッシュの発光の影響を受けて高輝度の状態からフラッシュの発光の影響を受けていない状態へと変化したことを検出したということである。
【０１４０】
そこで、フラッシュ検出部２は、ステップＳ3008にて、フラッシュの発光を検出している状態からフラッシュの発光を検出していない状態へとフラッシュ検出状態を変更する。第４実施形態においては、フラッシュ検出部２は、フラッシュ発光の終了ラインを示す検出ライン情報を制御部９に供給し、記憶した検出ライン情報を消去する。
【０１４１】
図１３のステップＳ30096，Ｓ3010は図４のステップＳ310，Ｓ311と同じである。図１３においてステップＳ3010からステップＳ3008へと移行した場合のステップＳ3008は図４のステップＳ312と実質的に同じである。
【０１４２】
フラッシュ検出部２は、ステップＳ3011にて、全有効ラインに対する判定が終了したか否かを判定する。全有効ラインに対する判定が終了したと判定されなければ（NO）、フラッシュ検出部２は、処理をステップＳ3001に戻し、ステップＳ3001以降の処理を繰り返す。全有効ラインに対する判定が終了したと判定されれば（YES）、フラッシュ補正部８は、ライン平均輝度の加算値を有効ライン数で除算して全画面平均輝度を算出し、全画面平均輝度を保持する。
【０１４３】
制御部９は、図１２のステップＳ７にて、圧縮伸張処理部５より出力された符号化データを記録再生部１１に記録させる際に、フラッシュ検出部２で検出したフラッシュ発光の開始ライン及び終了ラインを示す検出ライン情報を符号化データに付加するメタデータとして記録させる。
【０１４４】
図１４を用いて、図１２に示すステップＳ１４のフラッシュ補正処理の詳細について説明する。第４実施形態におけるステップＳ１４をステップＳ１４４とする。以下の各ステップは、制御部９による制御に基づいてフラッシュ補正部８によって実行される。制御部９は、符号化データに付加されているメタデータに基づいてフラッシュ補正部８によるフラッシュ補正処理を実行させる。
【０１４５】
図１４において、フラッシュ補正部８は、ステップＳ1401にて、画面単位切換モードであるか否かを判定する。画面単位切換モードであると判定されれば（YES）、フラッシュ補正部８は、ステップＳ1402にて、２画面にわたるフラッシュであるか否かを判定する。
【０１４６】
２画面にわたるフラッシュであると判定されれば（YES）、フラッシュ補正部８は、ステップＳ1403にて、２画面目であるか否かを判定する。２画面目であると判定されれば（YES）、フラッシュ補正部８は、ステップＳ1404にて、１画面後の画面に置換する。ステップＳ1402にて２画面にわたるフラッシュであると判定されなければ（NO）、また、ステップＳ1403にて２画面目であると判定されなければ（NO）、フラッシュ補正部８は、ステップＳ1405にて、１画面前の画面に置換する。
【０１４７】
図１５において、（ａ）は補正前の画像Ｉｍ１，Ｉｍ２，Ｉｍ３，Ｉｍ４…を示している。図２，図５と同様、ハッチングを付した部分がフラッシュの発光によって高輝度となっている部分である。図１５の（ｂ）に示すように、高輝度の部分を有する１画面目の画像Ｉｍ２は、ステップＳ1405にて、１画面前の画像Ｉｍ１に置換され、高輝度の部分を有する２画面目の画像Ｉｍ３は、ステップＳ1404にて、１画面後の画像Ｉｍ４に置換される。
【０１４８】
一方、ステップＳ1401にて画面単位切換モードであると判定されなければ（NO）、フラッシュ補正部８は、ステップＳ1406〜Ｓ1408の低遅延モードに設定されている場合の処理を実行する。フラッシュ補正部８は、ステップＳ1406にて、１画面を複数の領域に分割する。
【０１４９】
具体的には、フラッシュ補正部８は、図１０の（ａ），（ｂ）で説明したように、ステップＳ３０４のフラッシュ検出処理において検出した検出ライン情報が示すフラッシュ開始ラインよりも上方に位置し、フラッシュ開始ラインに隣接する隣接領域と、検出ライン情報が示すフラッシュ終了ライン下方に位置し、フラッシュ終了ラインに隣接する隣接領域を設定する。隣接領域は５〜１０ライン程度でよい。このように、フラッシュ補正部８は、フラッシュの影響を受けていない正常な部分と、フラッシュの発光によって高輝度となっている部分と、高輝度となっている部分の上方側または下方側に隣接する隣接領域とに領域に分割する。
【０１５０】
フラッシュ補正部８は、ステップＳ1407にて、合成比率を生成する。具体的には、フラッシュ補正部８は、図１１の（ａ），（ｂ）で説明したように、式（１），（２）を用いて現在の画面のラインと１画面前の画面のラインとの合成比率（混合率）を生成するか、式（３）を用いて画素単位で現在の画面の画像データと１画面前の画面の画像データとの合成比率（混合率）を生成する。フラッシュ補正部８は、ステップＳ1408にて、ステップＳ1407で生成した合成比率によって現在の画面のライン（画素）と１画面前の画面のライン（画素）とを合成して領域置換処理を実行する。
【０１５１】
図１４に示すステップＳ１４４においては、ステップＳ1401を画面単位切換モードであるか否かの判定としているが、低遅延モードであるか否かの判定としてもよい。
【０１５２】
第４実施形態では、フラッシュ補正部８は、記録再生部１１によって画像データを再生する際に、フラッシュ検出部２によって対象画面がフラッシュの発光によって高輝度となっていることが検出されたラインを含む場合には、高輝度となっているラインが再生されないように画像データを補正する再生補正部として動作している。
【０１５３】
以上のようにして、第４実施形態においては、記録再生部１１に記録された画像データの再生時に、フラッシュの発光によって高輝度となった部分が補正され、補正された画像データが、表示部７やビデオカメラに接続された外部機器としての表示装置に表示される。第４実施形態によれば、表示部７に表示させる画像データの遅延をなくすことができる。また、第４実施形態によれば、画像データは補正されていない状態で記録再生部１１に記録されており、画像データの再生時にフラッシュの発光を誤検出したとしても、記録されている画像データには影響を与えない。
【０１５４】
＜第５実施形態＞
第５実施形態の画像処理装置の構成は、図１に示す第１実施形態のビデオカメラ１０１と同様である。第５実施形態は、記録再生部１１に記録された画像データを再生する際に用いる再生リスト（プレイリスト）を修正することによって、フラッシュの発光によって高輝度となった部分を補正するように構成している。第５実施形態においては、画像データをフラッシュ補正８ではなく、制御部９によって補正する。
【０１５５】
図１６を用いて、第５実施形態によるビデオカメラの動作について説明する。図１６において、図１２と同一部分には同一符号を付し、その説明を適宜省略することとする。制御部９は、ステップＳ６〜Ｓ９の一連の処理によって記録再生部１１に記録する画像データに対応させて再生リストを生成して、記録再生部１１に併せて記録する。制御部９は、再生リスト生成部である。
【０１５６】
図１７を用いて再生リストについて説明する。ビデオカメラによって撮影されて記録される撮影コンテンツには、それぞれの撮影コンテンツを識別するための識別符号が付される。図１７は、識別符号“001”が付された撮影コンテンツＣ001を再生するための再生リストＰ001を概念的に示している。再生リストＰ001は、撮影コンテンツＣ001を再生開始時刻Ｔmsで再生を開始し、再生終了時刻Ｔmeで再生を終了することを示している。撮影コンテンツＣ001は、ハッチングを付した部分がフラッシュの発光によって高輝度となっているとする。
【０１５７】
制御部９は、ステップＳ１１にて、操作スイッチ１２によって、記録再生部１１に記録された所定の画像データの再生を開始する指示があったか否かを判定する。再生開始の指示があったと判定されれば（YES）、制御部９は、ステップＳ１３にて、フラッシュ検出領域があるか否かを判定する。フラッシュ検出領域があると判定されれば（YES）、制御部９は、ステップＳ１８にて、再生リストを修正する。ステップＳ１８の再生リストの修正についての詳細は後述する。
【０１５８】
制御部９は、ステップＳ１２にて、ステップＳ１８で修正された再生リストに基づいて画像データ（符号化データ）を再生させる。図１６のステップＳ１５〜Ｓ１７，Ｓ１０は図１２のステップＳ１５〜Ｓ１７，Ｓ１０と同じである。
【０１５９】
図１７を用いて、ステップＳ１８における再生リストの修正について説明する。図１７において、（ａ）は、再生リストＰ001に基づいて再生される撮影コンテンツＣ001の一連のフレームのうち、フラッシュの発光によって高輝度となった部分を含むフレームＦ２，Ｆ３とその前後のフレームＦ１，Ｆ４を示している。図１７の（ａ）はステップＳ１８で修正される前の状態である。なお、図１７に示すフレームＦ１〜Ｆ４は、図５の画像Ｉｍ１〜Ｉｍ４と実質的に同じであり、ここではフレームと称している。
【０１６０】
図１７において、（ｂ）は、再生リストＰ001の修正方法の第１の例によって再生される撮影コンテンツＣ001のフレームを示している。第１の例では、フレームＦ１の次にフレームＦ４を再生するよう、フラッシュの発光によって高輝度となった部分を含むフレームＦ２，Ｆ３をスキップさせるよう再生リストＰ001を修正する。この場合、撮影コンテンツＣ001を再生開始時刻Ｔmsで再生を開始し、フレームＦ１に続けてフレームＦ４を再生し、再生終了時刻Ｔmeで再生を終了するように再生リストＰ001を修正すればよい。第１の例では、撮影コンテンツＣ001の再生時間は、フレームＦ２，Ｆ３をスキップさせる分だけ短くなる。
【０１６１】
図１７において、（ｃ）は、再生リストＰ001の修正方法の第２の例によって再生される撮影コンテンツＣ001のフレームを示している。第２の例では、フレームＦ１の次のフレームＦ２，Ｆ３のタイミングでフレームＦ１を連続して再生し、その次にフレームＦ４を再生するよう再生リストＰ001を修正する。これによって、フレームＦ２，Ｆ３をスキップさせる。第２の例では、撮影コンテンツＣ001の再生時間は、図１７の（ａ）に示す再生リストＰ001を修正していない場合と同じである。
【０１６２】
図１７において、（ｄ）は、再生リストＰ001の修正方法の第３の例によって再生される撮影コンテンツＣ001のフレームを示している。第３の例では、フレームＦ１の次のフレームＦ２のタイミングでフレームＦ１を連続して再生し、フレームＦ３のタイミングでフレームＦ４を再生し、その次にフレームＦ４を再生するよう再生リストＰ001を修正する。これによって、フレームＦ２，Ｆ３をスキップさせる。第３の例では、撮影コンテンツＣ001の再生時間は、図１７の（ａ）に示す再生リストＰ001を修正していない場合と同じである。
【０１６３】
以上のようにして、第５実施形態においては、記録再生部１１に記録された画像データを再生リストに基づいて再生する際に、フラッシュの発光によって高輝度となったフレームをスキップさせるよう再生リストが修正され、修正された再生リストに基づいて画像データが再生される。修正された再生リストを記録再生部１１に記録してもよい。図１６では、ステップＳ１８にて再生リストを修正しているが、ステップＳ９までに再生リストを修正してもよい。
【０１６４】
また、第５実施形態では、ビデオカメラで画像データを再生する際に再生リストを修正することによってフラッシュの発光によって高輝度となったフレームをスキップさせる構成を示しているが、ビデオカメラ以外の再生機器で画像データを再生する場合にも、修正した再生リストに基づいて、フラッシュの発光によって高輝度となったフレームをスキップさせて再生することも可能である。
【０１６５】
第５実施形態では、制御部９は、記録再生部１１によって画像データを再生する際に、フラッシュ検出部２によって対象画面がフラッシュの発光によって高輝度となっていることが検出されたラインを含む場合には、高輝度となっているラインが再生されないように画像データを補正する再生補正部として動作している。上記のように制御部９は再生リスト生成部である。制御部９は、画像データの再生時に、高輝度のラインを含む対象画面をスキップさせるよう再生リストを修正する再生リスト修正部としても機能している。また、制御部９は、画像データの再生時に、高輝度のラインを含む対象画面を、フラッシュの発光による影響を受けていない対象画面よりも過去または未来の画面に置換するよう再生リストを修正する再生リスト修正部としても機能している。
【０１６６】
第５実施形態によれば、表示部７に表示させる画像データの遅延をなくすことができる。また、第５実施形態によれば、画像データは補正されていない状態で記録再生部１１に記録されており、画像データの再生時にフラッシュの発光を誤検出したとしても、記録されている画像データには影響を与えない。
【０１６７】
＜第６実施形態＞
第６実施形態の画像処理装置の構成は、図１に示す第１実施形態のビデオカメラ１０１と同様である。第６実施形態は、表示部７に表示させる画像データが遅延しないよう、フラッシュの発光によって部分的に高輝度となったとしても画像データを補正しない状態で表示部７に表示させる一方で、フラッシュ補正部８によって補正された画像データを記録再生部（記録部）１１に記録させるように構成している。
【０１６８】
図１９を用いて、第６実施形態によるビデオカメラの動作について説明する。図１９において、図３または図１２と同一部分には同一符号を付し、その説明を適宜省略することとする。図１９のステップＳ１，Ｓ２，Ｓ４，Ｓ５，Ｓ３０は、図１２のステップＳ１，Ｓ２，Ｓ４，Ｓ５，Ｓ３０と同じである。第６実施形態においては、図１９に示すように、制御部９は、ステップＳ６に続き、ステップＳ１３にて、フラッシュ検出領域があるか否かを判定する。
【０１６９】
フラッシュ検出領域があると判定されれば（YES）、制御部９は、ステップＳ１４にて、フラッシュ補正部８によるフラッシュ補正処理を実行させて、処理をステップＳ７に移行させる。フラッシュ検出領域があると判定されなければ（NO）、制御部９は、処理をステップＳ７に移行させる。制御部９は、ステップＳ７にて、圧縮伸張処理部５より出力された符号化データを記録再生部１１に記録させる。図１９のステップＳ８〜Ｓ１０は、図３のステップＳ８〜Ｓ１０と同じである。
【０１７０】
図２０を用いて、図１９に示すステップＳ１４のフラッシュ補正処理の詳細について説明する。第６実施形態におけるステップＳ１４をステップＳ１４６とする。図２０に示すステップＳ１４６において、図１４に示すステップＳ１４４と同一部分には同一符号を付し、その説明を適宜省略することとする。図２０のステップＳ1401〜Ｓ1403，Ｓ1405〜Ｓ1408は、図１４のステップＳ1401〜Ｓ1403，Ｓ1405〜Ｓ1408と同じである。
【０１７１】
第６実施形態においては、図２０に示すように、ステップＳ1403にて２画面目であると判定された場合には、フラッシュ補正部８は、ステップＳ1409にて、２画面前の画面に置換する。
【０１７２】
図２１において、（ａ）は補正前の画像Ｉｍ１，Ｉｍ２，Ｉｍ３，Ｉｍ４…を示している。図２，図５，図１５と同様、ハッチングを付した部分がフラッシュの発光によって高輝度となっている部分である。図２１の（ｂ）に示すように、高輝度の部分を有する１画面目の画像Ｉｍ２は、ステップＳ1405にて、１画面前の画像Ｉｍ１に置換され、高輝度の部分を有する２画面目の画像Ｉｍ３も、ステップＳ1409にて、１画面前の画像Ｉｍ１に置換される。
【０１７３】
第６実施形態では、フラッシュ補正部８は、フラッシュ検出部２によって対象画面内のラインがフラッシュの発光によって高輝度となっていることが検出された場合には、対象画面における高輝度となっているラインを保持部であるバッファメモリ４に保持された過去の画面のラインに置換することにより画像データを補正する。このとき、フラッシュ補正部８は、対象画面の全体を、フラッシュの発光による影響を受けていない過去の画面に置換してもよい。
【０１７４】
第６実施形態では、制御部９は、フラッシュ補正部８によって補正された画像データを記録再生部１１に記録させる。一方で、制御部９は、出力信号処理部６によって、フラッシュ補正部８によって補正されていない状態の画像データを、ビデオカメラ内蔵の表示部７または外部の表示部に表示させる。
【０１７５】
以上のようにして、第６実施形態においては、フラッシュの発光によって部分的に高輝度となったとしても、画像データは補正されない状態で表示部７やビデオカメラに接続された外部機器としての表示部である表示装置に表示される。記録再生部１１には、フラッシュ補正部８によって補正された画像データ（符号化データ）が記録される。第６実施形態によれば、表示部７に表示させる画像データの遅延をなくすことができ、記録再生部１１にはフラッシュの発光によって高輝度となった部分が補正された正常な画像データを記録することができる。
【０１７６】
＜第７実施形態＞
第７実施形態の画像処理装置の構成は、図６に示す第２実施形態のビデオカメラ１０２と同様である。第７実施形態は、図６に示すビデオカメラ１０２の構成で、図１２の第４実施形態と同様に、フラッシュの発光によって部分的に高輝度となったとしても画像データを補正せず記録再生部１１に記録させ、記録再生部１１に記録された画像データの再生時に画像データを補正するように構成したものである。即ち、第７実施形態は、フラッシュ検出部２によって実行される図１２のステップＳ３０を、図６のフラッシュ検出部２０によって実行されるステップＳ３０に置換したものに相当する。
【０１７７】
第７実施形態におけるステップＳ３０をステップＳ３０７とし、図２２を用いて第７実施形態におけるステップＳ３０７について説明する。以下の各ステップは、制御部９による制御に基づいてフラッシュ検出部２０によって実行される。図２２において、フラッシュ検出部２０は、ステップＳ3701にて、有効ラインにおける各ブロックの有効画素の画素値を加算する処理を有効ラインごとに順次実行する。フラッシュ検出部２０は、ステップＳ3702にて、ステップＳ3701にて得た各ブロックの画素値の加算値をブロック内の有効画素数で除算してブロック平均輝度を算出し、ブロック平均輝度を保持する。
【０１７８】
フラッシュ検出部２０は、ステップＳ3703にて、ステップＳ3702で算出したブロック平均輝度と１画面前の全画面平均輝度との差分演算の処理を実行する。ステップＳ3703における差分演算処理は、ステップＳ3702でブロック平均輝度を算出するたびに実行される。フラッシュ検出部２０は、ステップＳ3704にて、１ライン内のブロック平均輝度を加算し、ステップＳ3705にて、ブロック平均輝度の加算値をブロック数で除算してライン平均輝度を算出し、ライン平均輝度を保持する。
【０１７９】
フラッシュ検出部２０は、ステップＳ3706にて、ライン平均輝度を順次加算する処理を実行する。フラッシュ検出部２０は、ステップＳ3707にて、ステップＳ3705で算出したライン平均輝度と１画面前の全画面平均輝度との差分演算の処理を実行する。ステップＳ3707における差分演算処理は、ステップＳ3705でライン平均輝度を算出するたびに実行される。
【０１８０】
フラッシュ検出部２０は、ステップＳ3708にて、フラッシュの発光を検出していない通常状態であるか否かを判定する。通常状態であると判定されれば（YES）、フラッシュ検出部２０は、ステップＳ3709にて、ライン平均輝度と全画面平均輝度との差分値が閾値（閾値１）以上のラインを検出したか否かを判定する。
【０１８１】
ライン平均輝度と全画面平均輝度との差分値が閾値以上のラインを検出したと判定されれば（YES）、フラッシュ検出部２０は、処理をステップＳ3710に移行させ、ライン平均輝度と全画面平均輝度との差分値が閾値以上のラインを検出したと判定されなければ（NO）、フラッシュ検出部２０は、処理をステップＳ3715に移行させる。ライン平均輝度と全画面平均輝度との差分値が閾値以上のラインを検出しなければ、フラッシュは発光していないということである。
【０１８２】
フラッシュ検出部２０は、ライン平均輝度と全画面平均輝度との差分値が閾値以上のラインを検出した場合、さらに、ステップＳ3710にて、そのライン内のそれぞれのブロック平均輝度と全画面平均輝度との差分値が閾値（閾値２）以上であるか否かを判定する。フラッシュ検出部２０は、それぞれのブロック平均輝度と全画面平均輝度との差分値が閾値以上であると判定されれば（YES）、フラッシュ検出部２０は、処理をステップＳ3711に移行させる。なお、この際、フラッシュ検出部２は、検出したラインがフレームの最初のラインから何ライン目かを示す検出ライン情報を記憶しておく。
【０１８３】
一方、それぞれのブロック平均輝度と全画面平均輝度との差分値が閾値以上であると判定されなければ（NO）、フラッシュ検出部２０は、既に検出ライン情報を記憶している場合は、それを消去するとともに、処理をステップＳ3715に移行させる。
【０１８４】
フラッシュ検出部２０は、ステップＳ3711にて、ライン平均輝度と全画面平均輝度との差分値が閾値以上であり、それぞれのブロック平均輝度と全画面平均輝度との差分値が閾値以上であるという２つの条件を満たすラインが所定ライン数以上継続したか否かを判定する。所定ライン数以上継続したと判定されれば（YES）、フラッシュ検出部２０は処理をステップＳ3714に移行させ、所定ライン数以上継続したと判定されなければ（NO）、フラッシュ検出部２０は処理をステップＳ3715に移行させる。
【０１８５】
フラッシュ検出部２０は、ステップＳ3714にて、フラッシュの発光を検出していない状態からフラッシュの発光を検出した状態へとフラッシュ検出状態を変更する。また、フラッシュ検出部２０は、記憶している検出ライン情報をフラッシュ補正部８に供給し、検出ライン情報を消去する。
【０１８６】
一方、ステップＳ3708にて通常状態であると判定されなければ（NO）、フラッシュ検出部２０は、ステップＳ3712にて、ライン平均輝度と全画面平均輝度との差分値が閾値未満であるか、または、それぞれのブロック平均輝度と全画面平均輝度との差分値が閾値未満であるラインを検出したか否かを判定する。少なくとも一方を満たさないラインが現れたと判定されれば（YES）、フラッシュ検出部２０は処理をステップＳ3713に移行させる。この際、フラッシュ検出部２０は、検出したラインがフレームの最初のラインから何ライン目かを示す検出ライン情報を記憶しておく。
【０１８７】
少なくとも一方を満たさないラインが現れたと判定されなければ（NO）、フラッシュ検出部２０は、処理をステップＳ3715に移行させる。
【０１８８】
フラッシュ検出部２０は、ステップS3713にて、上記の２つの条件の少なくとも一方を満たさない状態が所定ライン数以上継続したか否かを判定する。所定ライン数以上継続したと判定されれば（YES）、フラッシュ検出部２０は処理をステップＳ3714に移行させ、所定ライン数以上継続したと判定されなければ（NO）、フラッシュ検出部２０は処理をステップＳ3715に移行させる。
【０１８９】
フラッシュ検出部２０は、ステップＳ3714にて、フラッシュの発光を検出した状態からフラッシュの発光を検出していない状態へとフラッシュ検出状態を変更する。また、フラッシュ検出部２０は、記憶している検出ライン情報をフラッシュ補正部８に供給し、検出ライン情報を消去する。
【０１９０】
フラッシュ検出部２０は、ステップＳ3715にて、全有効ラインに対する判定が終了したか否かを判定する。全有効ラインに対する判定が終了したと判定されれば（YES）、フラッシュ検出部２０は、処理をステップＳ3716に移行させ、全有効ラインが終了したと判定されなければ（NO）、フラッシュ検出部２０は、処理をステップＳ3701に戻してステップＳ3701以降を繰り返す。フラッシュ検出部２０は、ステップＳ3716にて、ライン平均輝度の加算値を有効ライン数で除算して全画面平均輝度を算出し、全画面平均輝度を保持する。
【０１９１】
＜第８実施形態＞
図６に示す第２実施形態のビデオカメラ１０２と同様の構成の画像処理装置とし、第５実施形態と同様に、記録再生部１１に記録された画像データを再生する際に用いる再生リストを修正することによって、フラッシュの発光によって高輝度となった部分を補正するように構成することができる。
【０１９２】
＜第９実施形態＞
図６に示す第２実施形態のビデオカメラ１０２と同様の構成の画像処理装置とし、第６実施形態と同様に、フラッシュの発光によって部分的に高輝度となった画像データを補正しない状態で表示部７に表示させ、フラッシュ補正部８によって補正された画像データを記録再生部１１に記録させるように構成することができる。
【０１９３】
本発明は以上説明した各実施形態に限定されるものではなく、本発明の要旨を逸脱しない範囲において種々変更可能である。各実施形態ではビデオカメラを例としたが、画像データを扱う任意の電子機器において本発明の画像処理装置、画像処理方法、画像処理プログラムを用いることができる。例えば、画像表示装置やコンピュータ等の情報処理装置において各実施形態の画像処理装置を搭載し、画面の一部が高輝度となっている画像データを画像表示装置や情報処理装置の内部で補正するようにしてもよい。
【０１９４】
また、各実施形態においては、画像信号処理部３での処理を終了した映像データを補正する構成を示したが、画像信号処理部３で処理する前の映像データを補正してもよい。各実施形態においては、画像信号処理部３や圧縮伸張処理部５とは独立して設けたバッファメモリ４を用いる構成を示したが、画像信号処理部３や圧縮伸張処理部５で使用するバッファメモリを用いてもよく、回路（ブロック）構成は適宜に変更が可能である。
【０１９５】
本発明の画像処理プログラムを記録媒体に記録して提供してもよく、インターネット等の通信回線にて画像処理プログラムを配信してもよい。記録媒体に記録された画像処理プログラムや通信回線にて配信された画像処理プログラムを画像処理装置に記憶させて、上述した画像処理方法を実行させるようにしてもよい。
【符号の説明】
【０１９６】
１  撮像部
１ｓ  CMOSセンサ
２，２０  フラッシュ検出部
３  画像信号処理部
４  バッファメモリ（保持部）
５  圧縮伸張処理部
６  出力信号処理部
７  表示部
８  フラッシュ補正部（再生補正部）
９  制御部（再生補正部，再生リスト生成部，再生リスト修正部，コンピュータ）
１０  メモリ
１１  記録再生部（記録部）
１２  操作スイッチ
２１，２０３  ライン平均輝度算出部
２３，２０５  全画面平均輝度算出部
２５，２０７  差分算出部
２６，２０８  フラッシュ判定部
１０１，１０２  ビデオカメラ
２０１  ブロック平均輝度算出部
【図１】
0005757472.tif 000005
【図２】
0005757472.tif 000006
【図３】
0005757472.tif 000007
【図４】
0005757472.tif 000008
【図５】
0005757472.tif 000009
【図６】
0005757472.tif 000010
【図７】
0005757472.tif 000011
【図８】
0005757472.tif 000012
【図９】
0005757472.tif 000013
【図１０】
0005757472.tif 000014
【図１１】
0005757472.tif 000015
【図１２】
0005757472.tif 000016
【図１３】
0005757472.tif 000017
【図１４】
0005757472.tif 000018
【図１５】
0005757472.tif 000019
【図１６】
0005757472.tif 000020
【図１７】
0005757472.tif 000021
【図１８】
0005757472.tif 000022
【図１９】
0005757472.tif 000023
【図２０】
0005757472.tif 000024
【図２１】
0005757472.tif 000025
【図２２】
0005757472.tif 000026